(57)【要約】混合型のスロットの組み合わせの割付を行うための方法およびシステムを提供する。具体的には、単一の割当メッセージの中で、２つのフレームにわたるスロットおよび４つのフレームにわたるスロットの割付が行われる。これらは、例えば、ＲＴＴＩおよびＢＴＴＩブロックとなり得る。１つの広範な局面によれば、本開示は、スロットを使用するダウンリンク時分割多重アクセス通信について、単一フローへの第１の混合型のスロットの組み合わせの割当を含有する、単一の割当メッセージを伝送するステップを含む、ネットワークアクセス機器における方法を提供する。
2011515888.tif 000002
【特許請求の範囲】
【請求項１】
スロットを使用するダウンリンク時分割多重アクセス通信について、単一フローへの第１の混合型のスロットの組み合わせの割当を含有する、単一の割当メッセージを伝送することを含む、ネットワークアクセス機器における方法。
【請求項２】
前記割当に基づいて通信することをさらに含む、請求項１に記載の方法。
【請求項３】
前記第１の混合型のスロットの組み合わせは、４つのフレームに割り当てられる少なくとも１つのスロットと、２つまたは４つのフレームに割り当てられる少なくとも一対のスロットとを含む、請求項１に記載の方法。
【請求項４】
前記第１の混合型のスロットの組み合わせは、第１の混合ＴＴＩ（伝送時間間隔）  ＴＢＦ（一時ブロックフロー）である、請求項２に記載の方法。
【請求項５】
前記割当に基づいて通信することは、
該割当を使用してコンテンツを伝送することを含み、該コンテンツは該コンテンツの受信者の識別子を含み、それにより、該識別子を含有する該割当を使用する、該受信者によるコンテンツの該受信が、該割当の割付を示す、請求項１に記載の方法。
【請求項６】
前記第１の混合ＴＴＩ  ＴＢＦを含む、複数の混合ＴＴＩ  ＴＢＦを定義することと、
該第１の混合ＴＴＩ  ＴＢＦを使用してＴＢＦ割当を行うことを含む、該複数の混合ＴＴＩ  ＴＢＦを使用してＴＢＦ割当を行うことと、
該第１の混合ＴＴＩ  ＴＢＦに基づいて通信することを含む、該複数の割り当てられた混合ＴＴＩ  ＴＢＦに基づいて通信することと
をさらに含む、請求項５に記載の方法。
【請求項７】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項４に記載の方法。
【請求項８】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項４に記載の方法。
【請求項９】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項４に記載の方法。
【請求項１０】
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、請求項６に記載の方法。
【請求項１１】
混合ＴＴＩ  ＴＢＦについての信号伝達情報を運ぶために、ＲＴＴＩ  ＰＡＣＣＨ（パケット関連制御チャネル）を使用することをさらに含む、請求項１に記載の方法。
【請求項１２】
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項１に記載の方法。
【請求項１３】
割当を行うことは、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することを含む、請求項１に記載の方法。
【請求項１４】
スロットを使用するダウンリンク時分割多重アクセス通信について、第１の混合型のスロットの組み合わせを単一フローに割り当てる、単一の割当メッセージの中の割当を受信することを含む、ユーザ機器（ＵＥ）における方法。
【請求項１５】
前記割当に基づいて通信することをさらに含む、請求項１４に記載の方法。
【請求項１６】
前記第１の混合型のスロットの組み合わせは、４つのフレームに割り当てられる少なくとも１つのスロットと、２つまたは４つのフレームに割り当てられる少なくとも一対のスロットとを含む、請求項１４に記載の方法。
【請求項１７】
前記第１の混合型スロットの組み合わせは、第１の混合ＴＴＩ（伝送時間間隔）  ＴＢＦ（一時ブロックフロー）である、請求項１６に記載の方法。
【請求項１８】
前記割当を使用してダウンリンク通信を受信することと、
前記ＵＥ宛てのコンテンツがあるかどうかを決定し、もしあれば、該割当が該ＵＥに割り付けられたことを推測することと
をさらに含む、請求項１４に記載の方法。
【請求項１９】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項１７に記載の方法。
【請求項２０】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項１７に記載の方法。
【請求項２１】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項１７に記載の方法。
【請求項２２】
混合ＴＴＩ  ＴＢＦについての信号伝達情報を運ぶために、ＲＴＴＩ  ＰＡＣＣＨ（パケット関連制御チャネル）を使用することをさらに含む、請求項１７に記載の方法。
【請求項２３】
前記単一のメッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項１４に記載の方法。
【請求項２４】
前記割当を受信することは、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを受信することを含む、請求項１４に記載の方法。
【請求項２５】
受信モジュールと、決定モジュールと、伝送モジュールとを含み、
該受信モジュールは、ダウンリンク通信のための混合ＴＴＩ  ＴＢＦの割当を示す、メッセージを受信するように構成され、
該決定モジュールは、該メッセージを復号して該割当を決定するように構成され、
該受信モジュールは、該混合ＴＴＩ  ＴＢＦ割当に基づいて受信する、ユーザ機器。
【請求項２６】
前記混合ＴＴＩ  ＴＢＦ割当は、４つのフレームに割り当てられる少なくとも１つのスロットと、２つまたは４つのフレームに割り当てられる少なくとも一対のスロットとを含む、混合型のスロットの組み合わせを割り当てる、請求項２５に記載のユーザ機器。
【請求項２７】
前記混合型スロットの組み合わせは、第１の混合ＴＴＩ（伝送時間間隔）  ＴＢＦ（一時ブロックフロー）である、請求項２５に記載のユーザ機器。
【請求項２８】
前記受信モジュールは、前記割当を使用してダウンリンク通信を受信し、前記ＵＥ宛てのコンテンツがあるかどうかを決定し、もしあれば、該割当が該ＵＥに割り付けられたことを推測するように構成される、請求項２５に記載のユーザ機器。
【請求項２９】
前記混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項２５に記載のユーザ機器。
【請求項３０】
前記混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項２５に記載のユーザ機器。
【請求項３１】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項２５に記載のユーザ機器。
【請求項３２】
混合ＴＴＩ  ＴＢＦについての信号伝達情報を運ぶために、ＲＴＴＩ  ＰＡＣＣＨ（パケット関連制御チャネル）を使用するようにさらに構成される、請求項２５に記載のユーザ機器。
【請求項３３】
前記メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項２５に記載のユーザ機器。
【請求項３４】
前記割当は、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを含む、請求項２５に記載のユーザ機器。
【請求項３５】
ユーザ機器上で実行されると、請求項１４〜２４のうちのいずれか一項に記載の方法を実行するように該ユーザ機器に命令する、自身の上に記憶された命令を有する、コンピュータ可読媒体。
【請求項３６】
受信モジュールと、選択モジュールと、伝送モジュールとを含み、
該選択モジュールは、ＵＥに対して混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
【請求項３７】
混合ＴＴＩ  ＴＢＦ割当は、４つのフレームに割り当てられる少なくとも１つのスロットと、２つまたは４つのフレームに割り当てられる少なくとも一対のスロットとを含む、第１の混合型のスロットの組み合わせを割り当てる、請求項３６に記載のネットワークアクセス機器。
【請求項３８】
前記混合型スロットの組み合わせは、第１の混合ＴＴＩ（伝送時間間隔）  ＴＢＦ（一時ブロックフロー）である、請求項３７に記載のネットワークアクセス機器。
【請求項３９】
前記伝送モジュールは、
前記割当を使用してコンテンツを伝送することによって、割付を使用して伝送するように構成され、該コンテンツは該コンテンツの受信者の識別子を含み、それにより、該識別子を含有する該割当を使用する、該受信者によるコンテンツの該受信が、該割当の割付を示す、請求項３７に記載のネットワークアクセス機器。
【請求項４０】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項３７に記載のネットワークアクセス機器。
【請求項４１】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項３７に記載のネットワークアクセス機器。
【請求項４２】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項３７に記載のネットワークアクセス機器。
【請求項４３】
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、請求項３７に記載のネットワークアクセス機器。
【請求項４４】
混合ＴＴＩ  ＴＢＦについての信号伝達情報を運ぶために、ＲＴＴＩ  ＰＡＣＣＨ（パケット関連制御チャネル）を使用するようにさらに構成される、請求項３７に記載のネットワークアクセス機器。
【請求項４５】
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項３７に記載のネットワークアクセス機器。
【請求項４６】
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することによって、割当を行うように構成される、請求項３７に記載のネットワークアクセス機器。
【請求項４７】
ネットワークアクセス機器上で実行されると、請求項１〜１３のうちのいずれか一項に記載の方法を実行するように該ネットワークアクセス機器に命令する、自身の上に記憶された命令を有する、コンピュータ可読媒体。
【請求項４８】
スロットを使用する時分割多重アクセス通信について、単一フローへの第１の混合型のスロットの組み合わせの割当を含有する、単一の割当メッセージを伝送することを含む、ネットワークアクセス機器における方法。
【請求項４９】
前記割当に基づいて通信することをさらに含む、請求項４８に記載の方法。
【請求項５０】
前記第１の混合型のスロットの組み合わせは、４つのフレームに割り当てられる少なくとも１つのスロットと、２つまたは４つのフレームに割り当てられる少なくとも一対のスロットとを含む、請求項４８に記載の方法。
【請求項５１】
前記第１の混合型スロットの組み合わせは、第１の混合ＴＴＩ（伝送時間間隔）  ＴＢＦ（一時ブロックフロー）である、請求項４９に記載の方法。
【請求項５２】
前記割り当てられた第１の混合ＴＴＩ  ＴＢＦを使用して、割付を行うことと、
前記割付に従って通信することと
をさらに含む、請求項４８、５０、または５１に記載の方法。
【請求項５３】
前記第１の混合ＴＴＩ  ＴＢＦを含む、複数の混合ＴＴＩ  ＴＢＦを定義することと、
該第１の混合ＴＴＩ  ＴＢＦを使用してＴＢＦ割当を行うことを含む、該複数の混合ＴＴＩ  ＴＢＦを使用してＴＢＦ割当を行うことと、
該第１の混合ＴＴＩ  ＴＢＦを使用して割付を行うことを含む、該複数の混合ＴＴＩ  ＴＢＦを使用して割付を行うことと、
該第１の混合ＴＴＩ  ＴＢＦを使用して通信することを含む、該複数の割り当てられた混合ＴＴＩ  ＴＢＦを使用して行われた該割付に従って、通信することと
をさらに含む、請求項５２に記載の方法。
【請求項５４】
前記第１の混合ＴＴＩ  ＴＢＦを含む、複数の混合ＴＴＩ  ＴＢＦを定義することは、８つのダウンリンクスロットと、該８つのダウンリンクスロットから時間がオフセットされる、８つの対応して番号付けされたアップリンクスロットとを含む、フレームについて行われ、かつ、アップリンクＴＢＦと、ダウンリンクＴＢＦとを含む、少なくとも１つのＴＢＦの組み合わせを定義することを含み、前記複数の組み合わせは、
第１のダウンリンクスロットの中にＢＴＴＩ（基本伝送時間間隔）ブロックがあり、第２および第３のダウンリンクスロットの中にＲＴＴＩブロックがあり、２つのアップリンクスロットの中にＲＴＴＩブロックがあるように、第１、第２、および第３のダウンリンクスロットを含む任意の３つの連続ダウンリンクスロットを採用し、かつ該第２および第３の連続ダウンリンクスロットと対応して番号付けされた２つのアップリンクスロットを採用する、３スロット混合ＴＴＩダウンリンクＴＢＦと、２スロットＲＴＴＩ（短縮伝送時間間隔）アップリンクＴＢＦとを備える、第１のＴＢＦの組み合わせと、
第１および第２のダウンリンクスロットの中にＲＴＴＩブロックがあり、第３のダウンリンクスロットの中にＢＴＴＩブロックがあり、第２および第４のダウンリンクスロットと対応して番号付けされたアップリンクスロットの中にＲＴＴＩブロックがあり、第３のダウンリンクスロットと対応して番号付けされたアップリンクスロットの中にＢＴＴＩブロックがあるように、第１、第２、第３、および第４のダウンリンクスロットを含む任意の４つの連続ダウンリンクスロットの中から、最初の３つの連続ダウンリンクスロットを採用し、かつ該第２、第３、および第４のダウンリンクスロットと対応して番号付けされた３つのアップリンクスロットを採用する、３スロット混合ＴＴＩダウンリンクＴＢＦと、３スロット混合ＴＴＩアップリンクＴＢＦとを含む、第２のＴＢＦの組み合わせと、
第１のダウンリンクスロットの中にＢＴＴＩブロックがあり、第２および第３のダウンリンクスロットの中にＲＴＴＩブロックがあり、第２および第３のダウンリンクスロットと対応して番号付けされたアップリンクスロットの中にＲＴＴＩブロックがあり、第４のダウンリンクスロットと対応して番号付けされたアップリンクスロットの中にＢＴＴＩブロックがあるように、第１、第２、第３、および第４のダウンリンクスロットを含む任意の４つの連続ダウンリンクスロットの中から、最初の３つの連続ダウンリンクスロットを採用し、かつ該第２、第３、および第４のダウンリンクスロットと対応して番号付けされた３つのアップリンクスロットを採用する、３スロット混合ＴＴＩダウンリンクＴＢＦと、３スロット混合ＴＴＩアップリンクＴＢＦとを含む、第３のＴＢＦの組み合わせと、
第１のダウンリンクスロットの中にＢＴＴＩブロックがあり、第２および第３のダウンリンクスロットの中にＲＴＴＩブロックがあり、第２および第３のダウンリンクスロットと対応して番号付けされたアップリンクスロットの中にＲＴＴＩブロックがあり、第４および第５のダウンリンクスロットと対応して番号付けされたアップリンクスロットの中にＲＴＴＩブロックがあるように、第１、第２、第３、第４、および第５のダウンリンクスロットを含む任意の５つの連続ダウンリンクスロットの中から、最初の３つの連続ダウンリンクスロットを採用し、かつ該第２、第３、第４、および第５のダウンリンクスロットと対応して番号付けされた４つのアップリンクスロットを採用する、３スロット混合ＴＴＩダウンリンクＴＢＦと、４スロットＲＴＴＩアップリンクＴＢＦとを含む、第４のＴＢＦの組み合わせと、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあり、第４および第５のダウンリンクスロットと対応して番号付けされたアップリンクスロットの中にＲＴＴＩブロックがあるように、第１、第２、第３、第４、および第５のダウンリンクスロットを含む任意の５つの連続ダウンリンクスロットを採用し、かつ該第４および第５のダウンリンクスロットと対応して番号付けされた２つのアップリンクスロットを採用する、５スロット混合ＴＴＩダウンリンクＴＢＦと、２スロットＲＴＴＩアップリンクＴＢＦとを含む、第５のＴＢＦの組み合わせと、
第１および第２のダウンリンクスロットの中にＲＴＴＩブロックがあり、第１および第２のダウンリンクスロットと対応して番号付けされたアップリンクスロットの中にＲＴＴＩブロックがあり、第３のダウンリンクスロットと対応して番号付けされたアップリンクスロットの中にＢＴＴＩブロックがあるように、第１、第２、および第３のダウンリンクスロットを含む任意の３つの連続ダウンリンクスロットの中から、最初の２つの連続ダウンリンクスロットを採用し、かつ該第１、第２、および第３のダウンリンクスロットと対応して番号付けされた３つのアップリンクスロットを採用する、２スロットＲＴＴＩダウンリンクＴＢＦと、３スロット混合ＴＴＩアップリンクＴＢＦとを含む、第６のＴＢＦの組み合わせと、
第１および第２のダウンリンクスロットの中にＲＴＴＩブロックがあり、第３および第４のダウンリンクスロットの中にＲＴＴＩブロックがあり、第３および第４のダウンリンクスロットと対応して番号付けされたアップリンクスロットの中にＲＴＴＩブロックがあり、第５のダウンリンクスロットと対応して番号付けされたアップリンクスロットの中にＢＴＴＩブロックがあるように、第１、第２、第３、第４、および第５のダウンリンクスロットを含む任意の５つの連続ダウンリンクスロットの中から、最初の４つの連続ダウンリンクスロットを採用し、かつ該第３、第４、および第５のダウンリンクスロットと対応して番号付けされた３つのアップリンクスロットを採用する、４スロットダウンリンクＲＴＴＩ  ＴＢＦと、３スロット混合ＴＴＩアップリンクＴＢＦとを含む、第７のＴＢＦの組み合わせと、
第１および第２のダウンリンクスロットの中にＲＴＴＩブロックがあり、第１および第２のダウンリンクスロットと対応して番号付けされたアップリンクスロットの中にＲＴＴＩブロックがあり、第３および第４のダウンリンクスロットと対応して番号付けされたアップリンクスロットの中にＲＴＴＩブロックがあり、第５のダウンリンクスロットと対応して番号付けされたアップリンクスロットの中にＢＴＴＩブロックがあるように、第１、第２、第３、第４、および第５のダウンリンクスロットを含む任意の５つの連続ダウンリンクスロットの中から、最初の２つの連続ダウンリンクスロットを採用し、かつ該第１、第２、第３、第４、および第５のダウンリンクスロットと対応して番号付けされた５つのアップリンクスロットを採用する、２スロットＲＴＴＩダウンリンクＴＢＦと、５スロット混合ＴＴＩ  ＴＢＦとを含む、第８のＴＢＦの組み合わせと
のうちの少なくとも１つを含む、請求項５３に記載の方法。
【請求項５５】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項５１に記載の方法。
【請求項５６】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項５１に記載の方法。
【請求項５７】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項５１に記載の方法。
【請求項５８】
前記第１の混合ＴＴＩ  ＴＢＦは、
第１および第３のアップリンクスロットの中にＲＴＴＩブロックがあり、第２のアップリンクスロットの中にＢＴＴＩブロックがあるように、３つの連続アップリンクスロットを採用する、３スロット混合ＴＴＩアップリンクＴＢＦである、請求項５１に記載の方法。
【請求項５９】
前記混合ＴＴＩアップリンクＴＢＦの前記スロットを全て割り付けるように、修正された動的割付を使用してアップリンク割付を行うことをさらに含む、請求項５８に記載の方法。
【請求項６０】
前記混合ＴＴＩアップリンクＴＢＦの前記スロットを全て割り付けるように、修正された拡張動的割付を使用してアップリンク割付を行うことをさらに含む、請求項５８に記載の方法。
【請求項６１】
前記第１の混合ＴＴＩ  ＴＢＦは、
第１および第２のアップリンクスロットの中にＲＴＴＩブロックがあり、第３のアップリンクスロットの中にＢＴＴＩブロックがあるように、３つの連続アップリンクスロットを採用する、３スロット混合ＴＴＩアップリンクＴＢＦである、請求項５１に記載の方法。
【請求項６２】
修正された拡張動的割付を使用して、アップリンク割付を行うことをさらに含む、請求項６１に記載の方法。
【請求項６３】
前記第１の混合ＴＴＩ  ＴＢＦは、
第１および第２のアップリンクスロットの中にＲＴＴＩブロックがあり、第３および第４のアップリンクスロットの中にＲＴＴＩブロックがあり、第５のアップリンクスロットの中にＢＴＴＩブロックがあるように、５つの連続アップリンクスロットを採用する、５スロット混合ＴＴＩアップリンクＴＢＦである、請求項５１に記載の方法。
【請求項６４】
修正された拡張動的割付を使用して、アップリンク割付を行うことをさらに含む、請求項６３に記載の方法。
【請求項６５】
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、請求項５３に記載の方法。
【請求項６６】
混合ＴＴＩ  ＴＢＦについての信号伝達情報を運ぶために、ＲＴＴＩ  ＰＡＣＣＨ（パケット関連制御チャネル）を使用することをさらに含む、請求項１から６５のいずれか一項に記載の方法。
【請求項６７】
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送／受信することをさらに含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該ＲＬＣブロックが、スロットペアのスロットａおよびスロットｂ上のＲＴＴＩブロックとして伝送／受信される、請求項１から６６のいずれか一項に記載の方法。
【請求項６８】
動的割付と、
修正された動的割付と、
拡張された動的割付と、
修正された拡張動的割付と、
融通性タイムスロット割付と
のうちの少なくとも１つを行うことによって、割付を行うことをさらに含む、請求項１から６７のいずれか一項に記載の方法。
【請求項６９】
前記単一割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と、
アップリンク割当であれば、アップリンク割付機構の指示と
を含有する、請求項１から６８のいずれか一項に記載の方法。
【請求項７０】
割当を行うことは、
混合ＴＴＩ  ＴＢＦ割当情報を含有する、パケットダウンリンク割当メッセージと、
混合ＴＴＩ  ＴＢＦ割当情報を含有する、パケットアップリンク割当メッセージと、
混合ＴＴＩ  ＴＢＦ割当情報を含有する、パケットタイムスロット再構成メッセージと
のうちの少なくとも１つを送信することを含む、請求項１から６９のいずれか一項に記載の方法。
【請求項７１】
前記第１の混合ＴＴＩ  ＴＢＦを使用して割付を行うことを含む、前記複数の混合ＴＴＩ  ＴＢＦを使用して割付を行うことは、
全ての混合ＴＴＩ  ＴＢＦに修正ＢＴＴＩ  ＵＳＦアプローチを使用することを含む、請求項１から７０のいずれか一項に記載の方法。
【請求項７２】
混合ＴＴＩ  ＴＢＦについての信号伝達情報を運ぶために、ＲＴＴＩ  ＰＡＣＣＨ（パケット関連制御チャネル）を使用することを含む、方法。
【請求項７３】
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送／受信することを含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該ＲＬＣブロックが、スロットペアのスロットａおよびスロットｂ上のＲＴＴＩブロックとして伝送／受信される、方法。
【請求項７４】
最初の２つのＴＤＭＡフレーム（すなわち、次の基本無線ブロック期間のＴＤＭＡフレーム１および２）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを割り当てるように、割り当てられたアップリンクＲＴＴＩブロックと対応する一対のダウンリンクスロットの第１のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと、
次の２つのＴＤＭＡフレーム（すなわち、次の基本無線ブロック期間のＴＤＭＡフレーム３および４）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを割り当てるように、割り当てられたアップリンクＲＴＴＩブロックと対応する一対のダウンリンクスロットの第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと、
次の基本無線ブロック期間中の最初の２つのＴＤＭＡフレーム上の対応するアップリンクタイムスロットペアの両スロット上の第１のＲＴＴＩブロックと、次の基本無線ブロック期間中の次の２つのＴＤＭＡフレーム（フレーム３および４）上の対応するアップリンクタイムスロットペアの両スロット上の第２のＲＴＴＩブロックと、次の基本無線ブロック期間の４つのＴＤＭＡフレームの上で（すなわち、ＵＳＦを含有する４つのフレームの後の４つのフレーム内で）、対応するダウンリンクスロットがＵＳＦを含有するＢＴＴＩモードで割り当てられる、各アップリンクスロット上の１つのＢＴＴＩブロックとを割り当てるように、割り当てられたアップリンクＲＴＴＩブロックと対応する一対のダウンリンクスロットの第１および第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと
を含む、アップリンク割付を行う方法。
【請求項７５】
ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の最初の２つのＴＤＭＡフレームの中にリソースを割り付けるよう、および、対応するアップリンクスロットペアのいずれのスロットよりも高いタイムスロット番号を伴うＢＴＴＩブロック伝送のために全ての割り当てられたアップリンクスロットの上にリソースを割り付けるように、割り当てられたアップリンクＲＴＴＩブロックと対応する一対のダウンリンクスロットのうちの第１のスロット上のＵＳＦであって、４つのダウンリンクフレームにわたって送信されるＵＳＦを、伝送／受信することと、
ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の第２の２つのＴＤＭＡフレームの中にリソースを割り付けるよう、および対応するアップリンクスロットペアのいずれのスロットよりも高いタイムスロット番号を伴うＢＴＴＩブロック伝送のために全ての割り当てられたアップリンクスロットの上にリソースを割り付けるように、割り当てられたアップリンクＲＴＴＩブロックと対応する一対のダウンリンクスロットの第２のスロット上のＵＳＦであって、４つのダウンリンクフレームにわたって送信されるＵＳＦを、伝送／受信することと
を含む、アップリンク割付を行う方法。
【請求項７６】
受信モジュールと、選択モジュールと、伝送モジュールとを含み、
該選択モジュールは、ＵＥに対する混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
【請求項７７】
スロットを使用する時分割多重アクセス通信について、第１の混合型のスロットの組み合わせを単一フローに割り当てる、単一の割当メッセージの中の割当を受信することを含む、ユーザ機器（ＵＥ）における方法。
【請求項７８】
割当に基づいて通信することをさらに含む、請求項７７に記載の方法。
【請求項７９】
前記第１の混合型のスロットの組み合わせは、４つのフレームに割り当てられる少なくとも１つのスロットと、２つまたは４つのフレームに割り当てられる少なくとも一対のスロットとを含む、請求項７７に記載の方法。
【請求項８０】
前記第１の混合型スロットの組み合わせは、第１の混合ＴＴＩ（伝送時間間隔）  ＴＢＦ（一時ブロックフロー）である、請求項７９に記載の方法。
【請求項８１】
前記割り当てられた第１の混合ＴＴＩ  ＴＢＦを使用して、割付を受信することと、
前記割付に従って通信することと
をさらに含む、請求項７７、７９、８０のうちのいずれか一項に記載の方法。
【請求項８２】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項８１に記載の方法。
【請求項８３】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項８１に記載の方法。
【請求項８４】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項８１に記載の方法。
【請求項８５】
前記第１の混合ＴＴＩ  ＴＢＦは、
第１および第３のアップリンクスロットの中にＲＴＴＩブロックがあり、第２のアップリンクスロットの中にＢＴＴＩブロックがあるように、３つの連続アップリンクスロットを採用する、３スロット混合ＴＴＩアップリンクＴＢＦである、請求項８１に記載の方法。
【請求項８６】
前記混合ＴＴＩアップリンクＴＢＦの前記スロットを全て割り付けるように、修正された動的割付を使用してアップリンク割付を受信することをさらに含む、請求項８５に記載の方法。
【請求項８７】
前記混合ＴＴＩアップリンクＴＢＦの前記スロットを全て割り付けるように、修正された拡張動的割付を使用してアップリンク割付を受信することをさらに含む、請求項８５に記載の方法。
【請求項８８】
前記第１の混合ＴＴＩ  ＴＢＦは、
第１および第２のアップリンクスロットの中にＲＴＴＩブロックがあり、第３のアップリンクスロットの中にＢＴＴＩブロックがあるように、３つの連続アップリンクスロットを採用する、３スロット混合ＴＴＩアップリンクＴＢＦである、請求項８１に記載の方法。
【請求項８９】
修正された拡張動的割付を使用して、アップリンク割付を受信することをさらに含む、請求項８８に記載の方法。
【請求項９０】
前記第１の混合ＴＴＩ  ＴＢＦは、
第１および第２のアップリンクスロットの中にＲＴＴＩブロックがあり、第３および第４のアップリンクスロットの中にＲＴＴＩブロックがあり、第５のアップリンクスロットの中にＢＴＴＩブロックがあるように、５つの連続ダウンリンクスロットを採用する、５スロット混合ＴＴＩアップリンクＴＢＦである、請求項８１に記載の方法。
【請求項９１】
修正された拡張動的割付を使用して、アップリンク割付を受信することをさらに含む、請求項９０に記載の方法。
【請求項９２】
混合ＴＴＩ  ＴＢＦについての信号伝達情報を運ぶために、ＲＴＴＩ  ＰＡＣＣＨ（パケット関連制御チャネル）を使用することをさらに含む、請求項７７〜９１のうちの一項に記載の方法。
【請求項９３】
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送および／または受信することをさらに含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該記ＲＬＣブロックが、スロットペアのスロットａおよびスロットｂ上のＲＴＴＩブロックとして伝送／受信される、請求項７７〜９２のうちの一項に記載の方法。
【請求項９４】
動的割付と、
修正された動的割付と、
拡張された動的割付と、
修正された拡張動的割付と、
融通性タイムスロット割付と
のうちの少なくとも１つを使用して、アップリンク割付を受信することをさらに含む、請求項７７〜９３のうちの一項に記載の方法。
【請求項９５】
前記単一のメッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と、
アップリンク割当であれば、アップリンク割付機構の指示と
を含有する、請求項７７〜９４のうちの一項に記載の方法。
【請求項９６】
前記割当を受信することは、
混合ＴＴＩ  ＴＢＦ割当情報を含有する、パケットダウンリンク割当メッセージと、
混合ＴＴＩ  ＴＢＦ割当情報を含有する、パケットアップリンク割当メッセージと、
混合ＴＴＩ  ＴＢＦ割当情報を含有する、パケットタイムスロット再構成メッセージと
のうちの少なくとも１つを受信することを含む、請求項７７〜９５のうちの一項に記載の方法。
【請求項９７】
受信モジュールと、決定モジュールと、伝送モジュールとを含み、
該受信モジュールは、混合ＴＴＩ  ＴＢＦの割当を示すメッセージを受信するように構成され、
該決定モジュールは、該メッセージを復号して該割当を決定するように構成され、
該受信モジュールおよび／または該伝送モジュールは、該混合ＴＴＩ  ＴＢＦ割当の割付に従って受信および／または伝送する、ユーザ機器。
【請求項９８】
前記混合ＴＴＩ  ＴＢＦ割当は、４つのフレームに割り当てられる少なくとも１つのスロットと、２つまたは４つのフレームに割り当てられる少なくとも一対のスロットとを含む、混合型のスロットの組み合わせを割り当てる、請求項９７に記載のユーザ機器。
【請求項９９】
前記混合型スロット組み合わせは、第１の混合ＴＴＩ（伝送時間間隔）  ＴＢＦ（一時ブロックフロー）である、請求項９７に記載のユーザ機器。
【請求項１００】
前記受信モジュールは、前記割当を使用してダウンリンク通信を受信し、前記ＵＥ宛てのコンテンツがあるかどうかを決定し、もしあれば、該割当が該ＵＥに割り付けられたことを推測するように構成される、請求項９７に記載のユーザ機器。
【請求項１０１】
前記混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項９７に記載のユーザ機器。
【請求項１０２】
前記混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項９７に記載のユーザ機器。
【請求項１０３】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項９７に記載のユーザ機器。
【請求項１０４】
混合ＴＴＩ  ＴＢＦについての信号伝達情報を運ぶために、ＲＴＴＩ  ＰＡＣＣＨ（パケット関連制御チャネル）を使用するようにさらに構成される、請求項９７に記載のユーザ機器。
【請求項１０５】
前記メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項９７に記載のユーザ機器。
【請求項１０６】
前記割当は、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを備える、請求項９７に記載のユーザ機器。
【請求項１０７】
ユーザ機器上で実行されると、請求項７７〜９６のうちのいずれか一項に記載の方法を実行するように該ユーザ機器に命令する、自身の上に記憶された命令を有する、コンピュータ可読媒体。
【請求項１０８】
受信モジュールと、選択モジュールと、伝送モジュールとを含み、
該選択モジュールは、ＵＥに対する混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
【請求項１０９】
前記混合ＴＴＩ  ＴＢＦ割当は、４つのフレームに割り当てられる少なくとも１つのスロットと、２つまたは４つのフレームに割り当てられる少なくとも一対のスロットとを含む、第１の混合型のスロットの組み合わせを割り当てる、請求項１０８に記載のネットワークアクセス機器。
【請求項１１０】
前記混合型スロットの組み合わせは、第１の混合ＴＴＩ（伝送時間間隔）  ＴＢＦ（一時ブロックフロー）である、請求項１０９に記載のネットワークアクセス機器。
【請求項１１１】
前記伝送モジュールは、
前記割当を使用してコンテンツを伝送することによって、割付を使用して伝送するように構成され、該コンテンツは該コンテンツの受信者の識別子を含み、それにより、該識別子を含有する該割当を使用する、該受信者によるコンテンツの該受信が、該割当の割付を示す、請求項１０８に記載のネットワークアクセス機器。
【請求項１１２】
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、請求項１０８に記載のネットワークアクセス機器。
【請求項１１３】
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、請求項１０８に記載のネットワークアクセス機器。
【請求項１１４】
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、請求項１０８に記載のネットワークアクセス機器。
【請求項１１５】
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、請求項１０８に記載のネットワークアクセス機器。
【請求項１１６】
混合ＴＴＩ  ＴＢＦについての信号伝達情報を運ぶために、ＲＴＴＩ  ＰＡＣＣＨ（パケット関連制御チャネル）を使用するようにさらに構成される、請求項１０８に記載のネットワークアクセス機器。
【請求項１１７】
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、請求項１０８に記載のネットワークアクセス機器。
【請求項１１８】
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することによって、割当を行うように構成される、請求項１０８に記載のネットワークアクセス機器。
【請求項１１９】
ネットワークアクセス機器上で実行されると、請求項４８〜７５のうちのいずれか一項に記載の方法を実行するように該ネットワークアクセス機器に命令する、自身の上に記憶された命令を有する、コンピュータ可読媒体。
【発明の詳細な説明】
【技術分野】
【０００１】
（分野）
本願は、時分割多重化を使用する、ネットワークとユーザ機器との間の通信のためのシステムおよび方法に関する。
【背景技術】
【０００２】
（背景）
いくつかの無線電気通信システムは、時分割多重化スキームを採用する。１つ以上の周波数のそれぞれに利用可能な伝送時間は、スロットに分割される。一例として、ＧＳＭにおいて、各周波数は、まとめてフレームと呼ばれる８つのスロットに分割される。
【０００３】
この説明で、割当とは、所与のＵＥに利用可能となるスロットを識別するために使用される、信号伝達を指す。この説明で、割付とは、特定のスロットについてのデータの実際の受信／伝送を指す。割付は、必然的に、利用可能な割当の一部または全てとなる。複数のＵＥが、同じまたは重複割当を有することができ、割付は、衝突を回避するために使用される。フレームまたは一連のフレーム内のスロットの特定の割付は、通常は、ある期間にわたって反復される。これは、ＴＢＦ（一時ブロックフロー）と呼ばれる。ＴＢＦは、一方向性エンティティであり、アップリンクＴＢＦは、アップリンク割当／割付に関し、ダウンリンクＴＢＦは、ダウンリンク割当／割付に関する。アップリンクに対するスロット番号付けは、同時に受信および伝送するようにＵＥに要求することなく、同じ番号を伴うダウンリンクスロットおよびアップリンクスロットを、ダウンリンクおよびアップリンクの両方の上に割り当て、割り付けることができるように、ダウンリンクに対するスロット番号付けからオフセットされる。所与のユーザ機器（ＵＥ）について、同じ物理的タイムスロットを、アップリンクまたはダウンリンクのいずれか一方に割り当てる、および／または割り付けることができるが、両方にはできない。しかしながら、上記で説明されるオフセット番号付けスキームにより、同じスロット番号を有するスロットを、アップリンクおよびダウンリンクの両方の上に割り当て、割り付けることができる。
【０００４】
所与の領域中の複数のＵＥは、これらのタイムスロットを共有する。各ＵＥは、データを有する時はいつでも、アップリンク割付機構に基づいて、アップリンク方向にデータを送信する。ネットワークはまた、これらのスロット上のダウンリンク方向で、データを複数の携帯電話に送信する。例えば、第１のフレームにおいて、スロット０が、第１のＵＥに対するデータを含有してもよい一方で、次のフレームにおいて、同じスロットは、第２のＵＥに対するデータを含有してもよい。スロットが非常に小さい時間単位であるため、スロットは、複数の連続フレームにわたってＵＥに割り付けられてもよい。例えば、ＢＴＴＩ（基本伝送時間間隔）ブロックは、４つの連続フレームにわたって割付られたスロットから成る。例えば、フレーム１スロット１、フレーム２スロット１、フレーム３スロット１、およびフレーム４スロット１が、ＢＴＴＩブロックを構成する。いくつかの実装では、フレームは、ＢＴＴＩブロックが、４つのフレームまたは２０ミリ秒の間隔にわたって及ぶように、持続時間が約５ミリ秒である。ＢＴＴＩ  ＴＢＦは、ＢＴＴＩブロックを使用するＴＢＦである。
【０００５】
ＲＴＴＩ（短縮伝送時間間隔）ブロックは、上記で紹介される同じフレーム構造を使用するが、ＲＴＴＩブロックは、ＲＴＴＩブロックが、２つのフレームまたは１０ミリ秒の間隔にわたって及ぶように、第１のフレーム中の一対のスロット、および次のフレーム中の一対のスロットから成る。ＲＴＴＩ  ＴＢＦは、ＲＴＴＩブロックを使用するＴＢＦである。ＢＴＴＩブロックと比較したＲＴＴＩブロックの伝送間隔は、半分に短縮される。ペアリングの制約により、ＲＴＴＩ  ＴＢＦは、偶数のアップリンクスロットまたは偶数のダウンリンクスロットがある割当で使用することができるのみである。例えば、ＲＴＴＩ  ＴＢＦは、（ＵＥ多重スロット能力に基づく）割当の２＋２、４＋２、および２＋４多重スロットペアで使用することができ、その場合、「ｎ＋ｍ」命名は、ｎ個の受信スロットの第１の割当と、ｍ個の伝送スロットの第２の割当とを含む、一対の割当を示す。ＲＴＴＩブロックは、常に複数対のスロットの中に割り当てられる。したがって、２＋２割当は、受信のための一対のスロットの第１の割当、および伝送のための一対のスロットの第２の割当を表す。４＋２割当は、受信のための２対のスロットの第１の割当、および伝送のための２対のスロットの第２の割当を表す。
【０００６】
具体的には、特定の最大数のダウンリンクまたは受信スロット、特定の最大数のアップリンクまたは伝送スロット、受信と伝送との間の最小時間間隙、および伝送と受信との間の最小時間間隙にそれぞれ適応する、複数の種類のユーザ機器があってもよい。特定の一式の４５種類が、３ＧＰＰ  ＴＳ  ４５．００２  Ｖ７．６．０  Ａｎｎｅｘ  Ｂで定義されている。
【０００７】
ＲＴＴＩ  ＴＢＦを使用することにより利益を享受する用途において、あるＵＥ多重スロットクラスの多重スロット能力は、ペアリングの要件により、完全に活用することができない。具体的な実施例では、クラス１２ＵＥは、割り付けられた全タイムスロットが５を超えることができないように、最大４つの受信タイムスロットや、最大４つの伝送タイムスロットをサポートする。しかしながら、利用可能なＲＴＴＩ多重スロット割当のうちで、２＋２ペアの割当のみが、クラス１２ＵＥの制約に適応する。これは、ユーザ機器が、ＲＴＴＩモードである時に利用することができない、付加的な受信または伝送スロット能力を有することを意味する。より一般的な用語では、上記を参照する特定のクラスの定義について、この状況は、伝送スロットの所望数および／または受信スロットの所望数が、３以上の奇数である場合に存在する。
【０００８】
この制限は、アップリンクおよび／またはダウンリンクのために、複数のＴＢＦをＵＥに割り当てることによって対処することができる。例えば、クラス１２ＵＥの３＋２または２＋３能力は、それぞれ、ダウンリンクまたはアップリンクにおけるＢＴＴＩ  ＴＢＦ割当と組み合わせて、２＋２ＲＴＴＩ  ＴＢＦペアの割当で実装することができる。複数のＴＢＦは、ＵＥが異なるＱｏＳ（サービスの質）または他のサービスパラメータを有する複数のＰＤＰ（パケットデータプロトコル）コンテキストをサポートしている時に適切であってもよい。しかしながら、複数のＴＢＦを設定および管理することにより、信号伝達負荷を増加させ、ネットワークおよびＵＥの両方の上で、この特徴のサポートを必要とする。この解決法は、単一のアプリケーション（例えば、ＦＴＰ、ＨＴＴＰ）がＲＴＴＩから利益を享受し、また、同時に、上記で説明される限定的な場合にＵＥの完全な多重スロット能力を活用する必要がある時に、不適切である。
【発明の概要】
【課題を解決するための手段】
【０００９】
（概要）
１つの広範な局面によれば、本開示は、スロットを使用するダウンリンク時分割多重アクセス通信について、単一フローへの第１の混合型のスロットの組み合わせの割当を含有する、単一の割当メッセージを伝送するステップを含む、ネットワークアクセス機器における方法を提供する。
【００１０】
別の広範な局面によれば、本開示は、スロットを使用するダウンリンク時分割多重アクセス通信について、第１の混合型のスロットの組み合わせを単一フローに割り当てる、単一の割当メッセージの中の割当を受信するステップを含む、ユーザ機器（ＵＥ）における方法を提供する。
【００１１】
別の広範な局面によれば、本開示は、受信モジュールと、決定モジュールと、伝送モジュールとを備える、ユーザ機器を提供し、受信モジュールは、ダウンリンク通信のための混合ＴＴＩ  ＴＢＦの割当を示す、メッセージを受信するように構成され、決定モジュールは、メッセージを復号して割当を決定するように構成され、受信モジュールは、混合ＴＴＩ  ＴＢＦ割当に基づいて受信する。
【００１２】
別の広範な局面によれば、本開示は、受信モジュールと、選択モジュールと、伝送モジュールとを備える、ネットワークアクセス機器を提供し、選択モジュールは、ＵＥに対する混合ＴＴＩ  ＴＢＦ割当を割り当てるように、および、ＵＥに混合ＴＴＩ  ＴＢＦ割当を信号伝達するよう伝送モジュールに命令するように、構成され、受信モジュールおよび伝送モジュールは、混合ＴＴＩ  ＴＢＦ割当の割付を使用して、受信および／または伝送するように構成される。
【００１３】
別の広範な局面によれば、本開示は、スロットを使用する時分割多重アクセス通信について、単一フローへの第１の混合型のスロットの組み合わせの割当を含有する、単一の割当メッセージを伝送するステップを含む、ネットワークアクセス機器における方法を提供する。
【００１４】
別の広範な局面によれば、本開示は、混合ＴＴＩ  ＴＢＦについての信号伝達情報を運ぶために、ＲＴＴＩ  ＰＡＣＣＨ（パケット関連制御チャネル）を使用するステップを含む、方法を提供する。
【００１５】
別の広範な局面によれば、本開示は、ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ（ブロックシーケンス番号）  ｉ、ｊを伴う２つのＲＬＣブロックを伝送／受信するステップをさらに含む、方法を提供し、スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、スロットａおよびスロットｂが、基本２０ミリ秒時間単位ブロックの最後の２つのＴＤＭＡフレーム（次の１０ミリ秒）の中に割り付けられた場合に、スロットａおよびスロットｂの両方が＜スロットｃである場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、さもなければ、ＢＳＮ  ｉを伴うＲＬＣブロックが、スロットｃ上のＢＴＴＩモードで伝送／受信され、ＢＳＮ  ｊを伴うＲＬＣブロックが、スロットペアのスロットａおよびスロットｂ上のＲＴＴＩブロックとして伝送／受信される。
【００１６】
別の広範な局面によれば、本開示は、最初の２つのＴＤＭＡフレーム（すなわち、次の基本無線ブロック期間のＴＤＭＡフレーム１および２）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを割り当てるように、割り当てられたアップリンクＲＴＴＩブロックと対応する一対のダウンリンクスロットの第１のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信するステップと、次の２つのＴＤＭＡフレーム（すなわち、次の基本無線ブロック期間のＴＤＭＡフレーム３および４）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有したＢＴＴＩモードで割り当てられる、各アップリンクスロット上のＢＴＴＩブロックとを割り当てるように、割り当てられたアップリンクＲＴＴＩブロックと対応する一対のダウンリンクスロットの第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信するステップと、次の基本無線ブロック期間中の最初の２つのＴＤＭＡフレーム上の対応するアップリンクタイムスロットペアの両スロット上の第１のＲＴＴＩブロックと、次の基本無線ブロック期間中の次の２つのＴＤＭＡフレーム（フレーム３および４）上の対応するアップリンクタイムスロットペアの両スロット上の第２のＲＴＴＩブロックと、次の基本無線ブロック期間の４つのＴＤＭＡフレームの上で（すなわち、ＵＳＦを含有する４つのフレームの後の４つのフレーム内で）、対応するダウンリンクスロットがＵＳＦを含有したＢＴＴＩモードで割り当てられる、各アップリンクスロット上の１つのＢＴＴＩブロックとを割り当てるように、割り当てられたアップリンクＲＴＴＩブロックと対応する一対のダウンリンクスロットの第１および第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信するステップとを含む、アップリンク割付を行う方法を提供する。
【００１７】
別の広範な局面によれば、本開示は、ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の最初の２つのＴＤＭＡフレームの中にリソースを割り付けるよう、および、対応するアップリンクスロットペアのいずれのスロットよりも高いタイムスロット番号を伴うＢＴＴＩブロック伝送のための全ての割り当てられたアップリンクスロットの上にリソースを割り付けるように、割り当てられたアップリンクＲＴＴＩブロックと対応する一対のダウンリンクスロットのうちの第１のスロット上のＵＳＦであって、４つのダウンリンクフレームにわたって送信されるＵＳＦを、伝送／受信するステップと、ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の第２の２つのＴＤＭＡフレームの中にリソースを割り付けるよう、および対応するアップリンクスロットペアのいずれのスロットよりも高いタイムスロット番号を伴うＢＴＴＩブロック伝送のための全ての割り当てられたアップリンクスロットの上にリソースを割り付けるように、割り当てられたアップリンクＲＴＴＩブロックと対応する一対のダウンリンクスロットの第２のスロット上のＵＳＦであって、４つのダウンリンクフレームにわたって送信されるＵＳＦを、伝送／受信するステップとを含む、アップリンク割付を行う方法を提供する。
【００１８】
別の広範な局面によれば、本開示は、受信モジュールと、選択モジュールと、伝送モジュールとを備える、ネットワークアクセス機器を提供し、選択モジュールは、ＵＥに対する混合ＴＴＩ  ＴＢＦ割当を割り当てるように、および、ＵＥに混合ＴＴＩ  ＴＢＦ割当を信号伝達するよう伝送モジュールに命令するように、構成され、受信モジュールおよび伝送モジュールは、混合ＴＴＩ  ＴＢＦ割当の割付を使用して、受信および／または伝送するように構成される。
【００１９】
別の広範な局面によれば、本開示は、スロットを使用する時分割多重アクセス通信について、第１の混合型のスロットの組み合わせを単一フローに割り当てる、単一の割当メッセージの中の割当を受信するステップを含む、ユーザ機器（ＵＥ）における方法を提供する。
【００２０】
別の広範な局面によれば、本開示は、受信モジュールと、決定モジュールと、伝送モジュールとを備える、ユーザ機器を提供し、受信モジュールは、混合ＴＴＩ  ＴＢＦの割当を示すメッセージを受信するように構成され、決定モジュールは、メッセージを復号して割当を決定するように構成され、受信モジュールおよび／または伝送モジュールは、混合ＴＴＩ  ＴＢＦ割当の割付に従って受信および／または伝送する。
【００２１】
別の広範な局面によれば、本開示は、受信モジュールと、選択モジュールと、伝送モジュールとを備える、ネットワークアクセス機器を提供し、選択モジュールは、ＵＥに対する混合ＴＴＩ  ＴＢＦ割当を割り当てるように、および、ＵＥに混合ＴＴＩ  ＴＢＦ割当を信号伝達するよう伝送モジュールに命令するように、構成され、受信モジュールおよび伝送モジュールは、混合ＴＴＩ  ＴＢＦ割当の割付を使用して、受信および／または伝送するように構成される。
【００２２】
他の実施形態は、上記で要約される、または以下で詳述される方法のうちの１つ以上を実行する、または実行を協調させるための、自身の上に記憶されたコンピュータ実行可能命令を有する、１つ以上のコンピュータ可読媒体を提供する。
【図面の簡単な説明】
【００２３】
ここで、添付図面を参照して、本開示の実施形態を説明する。
【図１】図１は、本開示の実施形態によるセルラーネットワークの説明図である。
【図２】図２は、本開示の実施形態によるセルラーネットワークにおけるセルの説明図である。
【図３】図３−１２は、混合ＴＴＩ（ＭＴＴＩ）  ＴＢＦの例を示す。
【図４】図３−１２は、混合ＴＴＩ（ＭＴＴＩ）  ＴＢＦの例を示す。
【図５】図３−１２は、混合ＴＴＩ（ＭＴＴＩ）  ＴＢＦの例を示す。
【図６】図３−１２は、混合ＴＴＩ（ＭＴＴＩ）  ＴＢＦの例を示す。
【図７】図３−１２は、混合ＴＴＩ（ＭＴＴＩ）  ＴＢＦの例を示す。
【図８】図３−１２は、混合ＴＴＩ（ＭＴＴＩ）  ＴＢＦの例を示す。
【図９】図３−１２は、混合ＴＴＩ（ＭＴＴＩ）  ＴＢＦの例を示す。
【図１０】図３−１２は、混合ＴＴＩ（ＭＴＴＩ）  ＴＢＦの例を示す。
【図１１】図３−１２は、混合ＴＴＩ（ＭＴＴＩ）  ＴＢＦの例を示す。
【図１２】図３−１２は、混合ＴＴＩ（ＭＴＴＩ）  ＴＢＦの例を示す。
【図１３】図１３は、ＭＴＴＩ  ＴＢＦに対するスロット割当の方法のフローチャートである。
【図１４】図１４は、本開示の種々の実施形態のうちのいくつかに対して動作可能である携帯装置を含む、無線通信システムの概略図である。
【図１５】図１５は、本開示の種々の実施形態のうちのいくつかに対して動作可能である携帯装置のブロック図である。
【図１６】図１６は、本開示の種々の実施形態のうちのいくつかに対して動作可能である携帯装置上で実装されてもよい、ソフトウェア環境の概略図である。
【図１７】図１７は、本開示の一実施形態による、例示的な汎用コンピュータである。
【図１８】図１８は、ＵＥの中のモジュールの例示的な概略図である。
【図１９】図１９は、ネットワークアクセス機器の中のモジュールの例示的な概略図である。
【図２０】図２０は、ネットワークアクセス機器による実行のための方法のフローチャートである。
【図２１】図２１は、ＵＥによる実行のための方法のフローチャートである。
【発明を実施するための形態】
【００２４】
（実施形態の詳細な説明）
最初に、本開示の１つ以上の実施形態の例示的実装を以下で提供するが、開示されたシステムおよび／または方法は、現在既知であるか、または既存であるかにかかわらず、任意の数の技法を使用して実装されてもよいことを理解されたい。本開示は、本明細書で例示および説明される例示的設計および実装を含む、以下で例示される例示的実装、図面、および技法に決して限定されるべきではないが、均等物の全範囲とともに、添付の請求項の範囲内で修正されてもよい。
【００２５】
図１は、本開示の実施形態による例示的セルラーネットワーク１００を示す。セルラーネットワーク１００は、複数のセル１０２１、１０２２、１０２３、１０２４、１０２５、１０２６、１０２７、１０２８、１０２９、１０２１０、１０２１１、１０２１２、１０２１３、および１０２１４（まとめてセル１０２と呼ばれる）を含んでもよい。当業者に明白であるように、セル１０２の各々は、ネットワークアクセス機器（例えば、ＢＳＳ（基地局システム）またはｅＮＢであるが、それらに限定されない）からの通信を通してセルラーネットワーク１００のセルラーサービスを提供するためのサービスエリアを表わす。セル１０２は、非重複サービスエリアを有するものとして描写されているが、当業者であれば、セル１０２のうちの１つ以上が、隣接セルと部分的に重複する範囲を有してもよいことを認識するであろう。加えて、特定数のセル１０２が描写されているが、当業者であれば、より多いまたは少ない数のセル１０２がセルラーネットワーク１００に含まれてもよいことを認識するであろう。
【００２６】
１つ以上のＵＥ１０が、セル１０２の各々に存在してもよい。１つだけのＵＥ１０が描写されており、１つだけのセル１０２１２に示されているが、複数のＵＥ１０がセル１０２の各々に存在してもよいことが、当業者に明白となるであろう。セル１０２の各々におけるネットワークアクセス機器２０は、従来の基地局の機能と同様の機能を果たす。すなわち、ネットワークアクセス機器２０は、電気通信ネットワークにおけるＵＥ１０と他の構成要素との間の無線リンクを提供する。ネットワークアクセス機器２０は、セル１０２１２だけに示されているが、ネットワークアクセス機器はセル１０２の各々に存在することを理解されたい。中央制御１１０もまた、セル１０２内の無線データ送信のうちのいくつかを監視するようにセルラーネットワーク１００内に存在してもよい。
【００２７】
図２は、セル１０２１２のより詳細な図を描写する。セル１０２１２におけるネットワークアクセス機器２０は、伝送器２７、受信機２９、および／または他の周知の機器を介して、通信を推進してもよい。同様の機器が、他のセル１０２に存在する場合がある。複数のＵＥ１０が、他のセル１０２の場合のように、セル１０２１２に存在する。本開示では、セルラーシステムまたはセル１０２は、信号の伝送等のあるアクティビティに従事するものとして説明されているが、当業者にとって容易に明白となるように、これらのアクティビティは、実際には、セルを備える構成要素によって行われる。
【００２８】
各セルでは、ネットワークアクセス機器２０からＵＥ１０への伝送は、ダウンリンク伝送と呼ばれ、ＵＥ１０からネットワークアクセス機器２０への伝送は、アップリンク伝送と呼ばれる。ＵＥは、セルラーネットワーク１００を使用して通信してもよい、任意の装置を含んでもよい。例えば、ＵＥは、携帯電話、ラップトップコンピュータ、ナビゲーションシステム、または、セルラーネットワーク１００を使用して通信してもよい、当業者に公知である任意の他の装置等の、装置を含んでもよい。
【００２９】
少なくとも１つのＲＴＴＩブロックを少なくとも１つのＢＴＴＩブロックと組み合わせる、単一のＴＢＦ割当メッセージで割り当てられる、単一のＴＢＦである、混合ＴＴＩ（ＭＴＴＩ）  ＴＢＦが提供される。ＭＴＴＩ  ＴＢＦでは、一対以上のスロットが、２つのフレームにわたってそれぞれのＲＴＴＩブロックを運び、１つ以上の単一スロット（すなわち、ペアの一部を形成しないスロット）が、４つのフレームにわたってＢＴＴＩブロックを運ぶ。ＭＴＴＩ  ＴＢＦ割当および割付が、ダウンリンクおよび／またはアップリンクに使用されてもよい。
【００３０】
いくつかの実施形態では、ＭＴＴＩ  ＴＢＦの割当は、アップリンクのみに対する、またはダウンリンクのみに対する割当を含む。この場合、第１の割当は、アップリンクについて行われ、および／または第２の割当は、ダウンリンクについて行われ、これらの一方または両方は、ＭＴＴＩ  ＴＢＦ割当となり得る。アップリンクおよびダウンリンク割当は、必ずしも対称とは限らない。以下で提示される詳細な実施例の全ては、この種類の割当を想定する。
【００３１】
いくつかの実施形態では、ＭＴＴＩ  ＴＢＦの割当は、アップリンクおよびダウンリンクに対する割当を含む、単一の割当メッセージの一部である。再度、アップリンクおよびダウンリンク割当は、必ずしも対称とは限らない。
【００３２】
（ダウンリンクおよびアップリンク割当）
新規のＭＴＴＩ  ＴＢＦが定義され、そのようなＴＢＦが所与のＵＥに割り当てられると、ＭＴＴＩ  ＴＢＦ割当情報がユーザ機器に信号伝達される。ＭＴＴＩ  ＴＢＦ割当情報を受信するユーザ機器は、各ブロックタイプに割り当てられたタイムスロットの数および場所を正確に知る。
【００３３】
以下は、以下で詳細に説明されるＭＴＴＩ  ＴＢＦ割当のうちのいずれかを指定するために使用することができる、ＭＴＴＩ  ＴＢＦ割当情報の具体的な実施例である。ダウンリンクＭＴＴＩ  ＴＢＦ割当は、どのダウンリンクスロットがＢＴＴＩ構成を使用するか、およびどのダウンリンクスロットがＲＴＴＩ構成を使用するかを識別する。例えば、情報は、
割当が混合ＴＴＩ  ＴＢＦ割当であるという指示と、
ＢＴＴＩブロックを運ぶスロットの指示と、
ＲＴＴＩブロックを運ぶスロットの指示と、
周波数と、
のうちの１つ以上を含む場合がある。ダウンリンク割当メッセージの具体的な実施例のさらなる詳細を、付属書類Ａで提供する。
【００３４】
アップリンク割当は、より複雑であり、アップリンク割付を行う方式を指定する情報を含む。情報は、
割当が混合ＴＴＩ  ＴＢＦ割当であるという指示と、
ＢＴＴＩブロックを運ぶスロットの指示と、
ＲＴＴＩブロックを運ぶスロットの指示と、
アップリンク割付についての１つ以上のパラメータと、
周波数と、
のうちの１つ以上を含む場合があり、その場合、フィールドは、アップリンク割付についての１つ以上のパラメータを含むこと以外は、ダウンリンク割当と同じである。これは、例えば、行われるアップリンク割付の種類（詳細な実施例が以下で提供される）を示す、および／または、ＵＳＦの場所等の特定のアップリンク割付に対する具体的詳細を含んでもよい。いくつかの実施形態では、アップリンク割付機構は、これを信号伝達する必要がないように、割当によって一意的に決定される。アップリンク割当メッセージの具体的な実施例のさらなる詳細を、付属書類Ａで提供する。
【００３５】
（ダウンリンク割付）
ダウンリンク割付のために、割当後、ネットワークは、割り当てられたスロットのうちのいくつかはまた全てを使用して伝送する。各ＵＥは、割り当てられたダウンリンクスロット上のネットワークから信号を受信し、ＵＥ自体宛てのコンテンツがあるかどうかを決定し、それは、それらの特定のスロットがＵＥに割り付けられたことを推測する。ＵＥに割り当てられたスロットの全てまたは一部が、所与のフレームの中のＵＥに割り付けられてもよく、あるいはいずれも割り付けられなくてもよい。
【００３６】
（アップリンク割付）
いくつかの実施形態では、ＢＴＴＩ  ＵＳＦモードに基づく割付機構が採用される。ＢＴＴＩ  ＵＳＦモードの従来の使用は、２つのダウンリンクフレームにわたる２つのスロット上のＲＴＴＩ  ＵＳＦの伝送を伴う、ＲＴＴＩ  ＵＳＦモードの従来の使用とは対照的に、４つのダウンリンクフレームにわたるスロット上のＲＴＴＩ  ＵＳＦの伝送を伴う。
【００３７】
ＭＴＴＩ  ＴＢＦについて割付を行うためにＢＴＴＩ  ＵＳＦを使用するステップを伴う、修正されたＢＴＴＩ  ＵＳＦ割付機構が提供される。どのように修正されたＢＴＴＩ  ＵＳＦ割付を行うことができるかという種々の具体的な実施例を以下で詳述する。いくつかの実施形態では、修正されたＢＴＴＩ  ＵＳＦの実際の形式は、従来のＢＴＴＩ  ＵＳＦと同一である。各ＵＳＦが、４つのフレームにわたる１つ以上のスロットのそれぞれに含まれる。しかしながら、ＢＴＴＩ  ＵＳＦによって伝達される情報は、コンテキスト特有であり、従来のＢＴＴＩ限定アップリンクＴＢＦの割付についてであるか、従来のＲＴＴＩ限定アップリンクＴＢＦの割付についてであるか、本明細書で定義されるような混合ＴＴＩ（ＭＴＴＩ）アップリンクＴＢＦの割付についてであるかどうかに依存する。従来のＢＴＴＩ  ＵＳＦ割付は、ＢＴＴＩおよびＲＴＴＩ  ＴＢＦの両方の組み合わせではなく、ＢＴＴＩ  ＴＢＦ、ＲＴＴＩ  ＴＢＦ、または一対のＲＴＴＩ  ＴＢＦのいずれかを割り付けるために使用されるという点で、上記とは異なる。ＭＴＴＩアップリンクＴＢＦが終了し、割付がＢＴＴＩ  ＵＳＦを使用して行われると、これは、従来の割付（すなわち、ＢＴＴＩアップリンクＴＢＦのみ、またはＲＴＴＩアップリンクＴＢＦのみ）以外の何かを信号伝達するために使用されているため、「修正された」ＢＴＴＩ  ＵＳＦアプローチと見なされる。
【００３８】
（１．動的割付アプローチ）
採用することができるアップリンク割付の第１の実施例は、従来の動的割付（ＤＡ）と呼ばれる。従来は、両方ではなく、ＢＴＴＩブロックまたはＲＴＴＩブロックのアップリンク割付を可能にする。従来のＤＡを使用して、アップリンクＢＴＴＩブロック割り付けるために、ダウンリンクスロットにおいて、ダウンリンクＢＴＴＩスロットの中のＢＴＴＩ  ＵＳＦ（アップリンク状態）が、ＢＴＴＩブロックを対応するアップリンクスロットの中に割り当てるために使用される。
【００３９】
従来のＤＡにより、対応するアップリンク  スロットは、ＵＳＦを含有するダウンリンクスロットと同じ番号を有する。いくつかの実施形態では、対応するアップリンクスロットが、ＢＴＴＩ  ＵＳＦを含有するスロットのダウンリンクスロット番号と同じ、または異なる、アップリンクスロット番号を有するアップリンクスロットとなり得る、従来のＤＡの変化例が採用されてもよい。この場合、ダウンリンクスロットは、アップリンク割付に対するＵＳＦを運ぶように指定されているという意味で、アップリンクスロットに「対応」する。
【００４０】
従来のＤＡを使用して、アップリンクＲＴＴＩブロックを割り付けるために、ＢＴＴＩ  ＵＳＦ（アップリンク状態フラグ）が、アップリンクＲＴＴＩブロックに割り当てられた一対のアップリンクスロットと対応する２つのダウンリンクスロットのうちの一方または両方において伝送される。ダウンリンクスロットは、アップリンク割付に対するＵＳＦを運ぶように指定されているという意味で、アップリンクスロットと「対応」する。割り付けられている２つのアップリンクスロットは、ＢＴＴＩ  ＵＳＦを運ぶスロットのダウンリンクスロット番号とは異なるアップリンクスロット番号を有してもよい。
【００４１】
より具体的には、従来のＤＡで可能な４つの割付は、以下である：
ａ）４つのダウンリンクフレームにわたって送信されるダウンリンクＢＴＴＩブロックに割り当てられるダウンリンクスロット上のＵＳＦ：ＵＥは、４つのＴＤＭＡフレームの中の対応するアップリンクタイムスロットのスロット上でＢＴＴＩブロックを伝送する；
ｂ）割り当てられたアップリンクＲＴＴＩブロックと対応する一対のダウンリンクスロットの第１のスロット上のＵＳＦであって、４つのダウンリンクフレームにわたって送信されるＵＳＦ：ＵＥは、最初の２つのＴＤＭＡフレーム（すなわち、次の基本無線ブロック期間のＴＤＭＡフレーム１および２）の中の対応するアップリンクタイムスロットペアの両スロット上のＲＴＴＩブロックを伝送する；
ｃ）割り当てられたアップリンクＲＴＴＩブロックと対応する一対のダウンリンクスロットの第２のスロット上のＵＳＦであって、４つのダウンリンクフレームにわたって送信されるＵＳＦ：ＵＥは、次の２つのＴＤＭＡフレーム（すなわち、次の基本無線ブロック期間のＴＤＭＡフレーム３および４）の中の対応するアップリンクタイムスロットペアの両スロット上のＲＴＴＩブロックを伝送する；
ｄ）割り当てられたアップリンクＲＴＴＩブロックと対応する一対のダウンリンクスロットの第１および第２のスロット上のＵＳＦであって、４つのダウンリンクフレームにわたって送信されるＵＳＦ：ＵＥは、次の基本無線ブロック期間中の最初の２つのＴＤＭＡフレーム上の対応するアップリンクタイムスロットペアの両スロット上の第１のＲＴＴＩブロックと、次の基本無線ブロック期間中の次の２つのＴＤＭＡフレーム（フレーム３および４）上の対応するアップリンクタイムスロットペアの両スロット上の第２のＲＴＴＩブロックとを伝送する。
【００４２】
（２．修正された動的割付）
修正された動的割付により、上記で説明されるＤＡアプローチは、ＭＴＴＩ  ＴＢＦの割付を網羅するように修正される。具体的には、修正された動的割付を使用して、以下の割付が可能である：
ａ）割り当てられたアップリンクＲＴＴＩブロックと対応する一対のダウンリンクスロットの第１のスロット上のＵＳＦであって、４つのダウンリンクフレームにわたって送信されるＵＳＦ、および、対応する割り当てられたアップリンクＢＴＴＩブロックを有する、１つ以上のダウンリンクスロット上のＵＳＦ：ＵＥは、最初の２つのＴＤＭＡフレーム（すなわち、次の基本無線ブロック期間のＴＤＭＡフレーム１および２）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを伝送する；
ｂ）割り当てられたアップリンクＲＴＴＩブロックと対応する一対のダウンリンクスロットの第２のスロット上のＵＳＦであって、４つのダウンリンクフレームにわたって送信されるＵＳＦ、および、対応する割り当てられたアップリンクＢＴＴＩブロックを有する、１つ以上のダウンリンクスロット上のＵＳＦ：ＵＥは、次の２つのＴＤＭＡフレーム（すなわち、次の基本無線ブロック期間のＴＤＭＡフレーム３および４）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有したＢＴＴＩモードで割り当てられる、各アップリンクスロット上のＢＴＴＩブロックとを伝送する；
ｃ）割り当てられたアップリンクＲＴＴＩブロックと対応する一対のダウンリンクスロットの第１および第２のスロット上のＵＳＦであって、４つのダウンリンクフレームにわたって送信されるＵＳＦ、および、対応する割り当てられたアップリンクＢＴＴＩブロックを有する、１つ以上のダウンリンクスロット上のＵＳＦ：ＵＥは、次の基本無線ブロック期間中の最初の２つのＴＤＭＡフレーム上の対応するアップリンクタイムスロットペアの両スロット上の第１のＲＴＴＩブロックと、次の基本無線ブロック期間中の次の２つのＴＤＭＡフレーム（フレーム３および４）上の対応するアップリンクタイムスロットペアの両スロット上の第２のＲＴＴＩブロックと、次の基本無線ブロック期間の４つのＴＤＭＡフレームの上で（すなわち、ＵＳＦを含有する４つのフレームの後の４つのフレーム内で）、対応するダウンリンクスロットがＵＳＦを含有したＢＴＴＩモードで割り当てられる、各アップリンクスロット上の１つのＢＴＴＩブロックとを伝送する。
【００４３】
（３．拡張動的割付）
従来の拡張動的割付（ＥＤＡ）により、以下が、ＢＴＴＩ  ＵＳＦモードでＵＳＦを受信するアップリンクＲＴＴＩ  ＴＢＦに該当する：
ａ）割り当てられたアップリンクＲＴＴＩブロックと対応する一対のダウンリンクスロットのうちの第１のスロット上のＵＳＦであって、４つのダウンリンクフレームにわたって送信されるＵＳＦは、ＲＴＴＩブロック伝送のための対応するアップリンクスロットペアと、次の基本無線ブロック期間の最初の２つのＴＤＭＡフレームにおけるＲＴＴＩブロック伝送のための対応するアップリンクスロットペアよりも高い番号が付けられたタイムスロットを伴う全ての割り当てられたアップリンクスロットペアとの上で、次の基本無線ブロック期間の最初の２つのＴＤＭＡフレームの中にリソースを割り付ける；
ｂ）割り当てられたアップリンクＲＴＴＩブロックと対応する一対のダウンリンクスロットのうちの第２のスロット上のＵＳＦであって、４つのダウンリンクフレームにわたって送信されるＵＳＦは、ＲＴＴＩブロック伝送のための対応するアップリンクスロットペアと、次の基本無線ブロック期間の最初の２つのＴＤＭＡフレームにおけるＲＴＴＩブロック伝送のための対応するアップリンクスロットペアよりも高い番号が付けられたタイムスロットを伴う全ての割り当てられたアップリンクスロットペアとの上で、次の基本無線ブロック期間の第２の２つのＴＤＭＡフレームの中にリソースを割り付ける；
従来の拡張動的割付により、以下が、アップリンクＢＴＴＩ  ＴＢＦに該当する：
ｃ）ＢＴＴＩアップリンクＴＢＦについて、所与のダウンリンクタイムスロットの中のＵＳＦは、所与のダウンリンクタイムスロットと同じ番号を有するアップリンクタイムスロット、および、より高いタイムスロット番号を伴う全ての割り当てられたアップリンクスロットが、ＢＴＴＩブロック伝送のために割り付けられていることを意味する。
【００４４】
（４．修正されたＥＤＡ）
修正された拡張動的割付により、上記で説明される拡張ＤＡアプローチは、ＭＴＴＩ  ＴＢＦの割付を網羅するように修正される。修正されたＥＤＡは、割り当てられた一対のスロット上の少なくとも１つのＲＴＴＩブロックと、割り当てられたスロット上の少なくとも１つのＢＴＴＩブロックとを含む、いくつかのアップリンク割当について、割付を行うために使用することができる。具体的には、修正された動的割付を使用して、以下の割付が可能である：
ａ）割り当てられたアップリンクＲＴＴＩブロックと対応する一対のダウンリンクスロットのうちの第１のスロット上のＵＳＦであって、４つのダウンリンクフレームにわたって送信されるＵＳＦは、ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の最初の２つのＴＤＭＡフレームの中にリソースを割り付け、かつ対応するアップリンクスロットペアのいずれのスロットよりも高いタイムスロット番号を伴うＢＴＴＩブロック伝送のための全ての割り当てられたアップリンクスロットの上にリソースを割り付ける；
ｂ）割り当てられたアップリンクＲＴＴＩブロックと対応する一対のダウンリンクスロットのうちの第２のスロット上のＵＳＦであって、４つのダウンリンクフレームにわたって送信されるＵＳＦは、ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の第２の２つのＴＤＭＡフレームの中にリソースを割り付け、かつ対応するアップリンクスロットペアのいずれのスロットよりも高いタイムスロット番号を伴うＢＴＴＩブロック伝送のための全ての割り当てられたアップリンクスロットの上にリソースを割り付ける。
【００４５】
（混合ＴＴＩ  ＴＢＦ信号伝達のためのＰＡＣＣＨの使用）
データ伝送のための上記のスロットへの言及は、ＰＤＣＨ伝送（パケットデータチャネル）を指す。従来のシステムでは、特定のＴＢＦに割り当てられた同じスロットを使用して、ＲＴＴＩ  ＴＢＦに関する信号伝達情報を運ぶために、ＲＴＴＩ  ＰＡＣＣＨ（パケット関連制御チャネル）が使用される。いくつかの実施形態では、混合ＴＴＩ  ＴＢＦに関する信号伝達情報を運ぶために、ＲＴＴＩ  ＰＡＣＣＨと一致する信号伝達が使用される。これは、修正ＲＴＴＩ  ＰＡＣＣＨと呼ばれる。いくつかの実施形態における修正ＲＴＴＩ  ＰＡＣＣＨの形式は、既存のＲＴＴＩ  ＰＡＣＣＨと完全に同一である。これは、アップリンク方向、ダウンリンク方向、または両方で行うことができる。特定の実施例では、修正ＲＴＴＩ  ＰＡＣＣＨは、１式のＲＬＣ（無線リンク制御）ブロックからのどのブロックが、正しく、または誤って受信されたかという指示を含む。これは、ＲＬＣブロックの種類（ＢＴＴＩ対ＲＴＴＩ）に関係なく行うことができるため、信号伝達の変更は必要とされない。
【００４６】
（ダウンリンク伝送に割り付けられる奇数スロットによる割当）
（３＋２割当の実施例）
図３を参照して、第１の詳細な実施例を説明する。図３は、３つのダウンリンクスロットを採用するダウンリンクに対する混合ＴＴＩ  ＴＢＦ、および２つのアップリンクスロットを採用するアップリンクに対するＴＢＦを示す。この割当は、１つのアップリンクタイムスロット最大値しかないクラス３５または４０以外の、クラス１０、１１、１２、３３およびそれ以上に適切である。この実施例および以下の他の実施例では、時間が水平方向に流れ、最上列２００は、ダウンリンクスロット割当を表し、最下列２０２は、アップリンクスロット割当を表す。フレームを構成する８スロットの反復パターンがある。４つのフレームが、２４０、２４２、２４４、２４６で示されている。スロットの番号付けは、アップリンクと対比して、ダウンリンクについてオフセットされる。具体的には、図示された実施例について、アップリンクスロット「０」は、ダウンリンクスロット「０」から３スロット後に発生する。
【００４７】
示された特定の割当は、４つ全てのフレーム２４０、２４２、２４４、２４６にわたるスロット１上のダウンリンクＢＴＴＩブロック２１０と、最初の２つのフレーム２４０、２４２にわたるダウンリンクスロット２および３の上のダウンリンクＲＴＴＩブロック２１２、２１３とを含む。最初の２つのフレーム２４０、２４２にわたるアップリンクスロット２および３の上のアップリンクＲＴＴＩブロック２１４、２１５がある。これは、考慮中のクラスの多重スロット能力と一致する、伝送と受信との間の１つのスロット間隙をもたらす。
【００４８】
示された特定の割当はまた、説明される原則を変更することなく、かつ必要とされる多重スロット能力を変更することなく、左に１スロット、または右に１、２、３、または４スロット移行することもできる。つまり、より一般的に、第１のダウンリンクスロットの中のＢＴＴＩブロックと、第２および第３のダウンリンクスロットの中のＲＴＴＩブロックと、２つのアップリンクスロットの中のＲＴＴＩブロックとがあるように、第１、第２、および第３のダウンリンクスロットを備える、任意の３つの連続ダウンリンクスロットを採用し、かつ第２および第３の連続ダウンリンクスロットと対応する２つのアップリンクスロットを採用する、３＋２（ダウンリンク＋アップリンク）割当が提供される。
【００４９】
所与のクラスに利用可能である、特定の一式の順列が限定されている。例えば、クラスが伝送と受信との間に１つのスロット間隙を必要とする場合は、ＢＴＴＩブロック２１０およびＲＴＴＩブロック２１２、２１３の順番の受信が稼働しない。これは、スロット１、２上のＲＴＴＩダウンリンク伝送と、スロット３上のＢＴＴＩダウンリンク伝送とをもたらし、その後にスロット１、２上のアップリンク伝送が続き、アップリンク伝送とダウンリンク伝送との間には間隙がなくなる。
【００５０】
図３の実施例について、アップリンク割付の特定の実施例では、上記で詳述されるように、従来の動的割付を採用することができる。
【００５１】
説明された割当では、反対方向に異なるＴＴＩタイプ（ＲＴＴＩ対ＢＴＴＩ）を運ばなければならない場合があるスロットがない。
【００５２】
（３＋３割当−第１の実施例）
図４Ａを参照して、第２の詳細な実施例を説明する。図４Ａは、３つのダウンリンクスロットに適応する混合ＴＴＩ  ＴＢＦ、および３つのアップリンクスロットに適応する混合ＴＴＩ  ＴＢＦを示す。この割当は、例えば、クラス３２、３３、３４のＵＥに適切である。示された特定の割付は、最初の２つのフレーム２４０、２４２中のダウンリンクスロット１および２上のダウンリンクＲＴＴＩブロック２２０、２２２と、４つのフレーム２４０、２４２、２４４、２４６の上のダウンリンクスロット３上のダウンリンクＢＴＴＩブロック２２４とを含む。アップリンク上には、最初の２つのフレーム２４０、２４２上に割り当てられたスロット２および４上のアップリンクＲＴＴＩブロック２２６、２３０と、ＲＴＴＩブロック２２６、２３０に使用されたスロット２および４の間のスロット３上のＢＴＴＩブロック２２８とがある。この場合、アップリンク上のスロット１は、ユーザ機器の多重スロット能力に違反するため、割当に含まれない。
【００５３】
示された特定の割当はまた、説明される原則を変更することなく、かつ必要とされる多重スロット能力を変更することなく、左に１スロット、または右に１、２、または３スロット移行することもできる。つまり、より一般的に、第１および第２のダウンリンクスロットの中のＲＴＴＩブロックと、第３のダウンリンクスロットの中のＢＴＴＩブロックと、第２および第４のダウンリンクスロットに対応するアップリンックスロットの中のＲＴＴＩブロックと、第３のダウンリンクスロットに対応するアップリンックスロットの中のＢＴＴＩブロックとがあるように、第１、第２、第３、および第４のダウンリンクスロットを備える、任意の４つの連続ダウンリンクスロットの中から、最初の３つの連続ダウンリンクスロットを採用し、かつ第２、第３、および第４の連続ダウンリンクスロットと対応する３つのアップリンクスロットを採用する、３＋３（ダウンリンク＋アップリンク）割当が提供される。
【００５４】
図４Ａの実施例について、アップリンク割付の詳細を、奇数のアップリンクスロットを伴う割当を詳述するセクションにおいて、以下で提供する。
【００５５】
（３＋３割当−第２の実施例）
図４Ｂを参照して、別の詳細な３＋３の実施例を説明する。図４Ｂは、３つのダウンリンクスロットに適応するＭＴＴＩ  ＴＢＦ、および３つのアップリンクスロットに適応するＭＴＴＩ  ＴＢＦを示す。この割当は、例えば、クラス３２、３３、３４のＵＥに適切である。示された特定の割付は、最初の４つのフレーム２４０、２４２、２４４、２４６中のダウンリンクスロット１上のダウンリンクＢＴＴＩブロック２２３と、最初の２つのフレーム２４０、２４２中のダウンリンクスロット２および３上のダウンリンクＲＴＴＩブロック２２５、２２１とを含む。アップリンク上には、最初の２つのフレーム２４０、２４２上のスロット２および３上のアップリンクＲＴＴＩブロック２２７、２３１と、フレーム２４０、２４２、２４４、２４６中のスロット４上のＢＴＴＩブロック２２９とがある。
【００５６】
示された特定の割当はまた、説明される原則を変更することなく、かつ必要とされる多重スロット能力を変更することなく、左に１スロット、または右に１、２、または３スロット移行することもできる。つまり、第１のダウンリンクスロットの中のＢＴＴＩブロックと、第２および第３のダウンリンクスロットの中のＲＴＴＩブロックと、第２および第３のダウンリンクスロットに対応するアップリンックスロットの中のＲＴＴＩブロックと、第４のダウンリンクスロットに対応するアップリンックスロットの中のＢＴＴＩブロックとがあるように、第１、第２、第３、および第４のダウンリンクスロットを備える、任意の４つの連続ダウンリンクスロットの中から、最初の３つの連続ダウンリンクスロットを採用し、かつ第２、第３、および第４の連続ダウンリンクスロットと対応する３つのアップリンクスロットを採用する、３＋３（ダウンリンク＋アップリンク）ＭＴＴＩ割当が提供される。
【００５７】
図４Ｂの実施例について、アップリンク割付の詳細を、奇数のアップリンクスロットを伴う割当を詳述するセクションにおいて、以下で提供する。
【００５８】
（３＋４割当の実施例）
ここで図５を参照して、混合モードＴＴＦ割当の第３の詳細な実施例を説明する。図５は、ダウンリンク上の３つのスロットに対するＭＴＴＩ  ＴＢＦ、および４スロットＲＴＴＩアップリンク割当（クラス４３−４５）の実施例を示す。図５のダウンリンク割当は、図３と基本的に同じである。具体的には、ダウンリンクについて、割付は、フレーム２４０、２４２、２４４、２４６にわたるスロット０の中のＢＴＴＩブロック２５２と、フレーム２４０、２４２にわたるスロット１および２の上のＲＴＴＩブロック２５４、２５６とを含む。アップリンクについては、スロット１および２の中の第１のＲＴＴＩブロック２５８、２６０と、スロット３および４の中の第２のＲＴＴＩブロック２６２、２６４とがある。
【００５９】
図５の実施例は、右に１、２、または３スロット移行することができる。つまり、第１のダウンリンクスロットの中のＢＴＴＩブロックと、第２および第３のダウンリンクスロットの中のＲＴＴＩブロックと、第２および第３のダウンリンクスロットに対応するアップリンックスロットの中のＲＴＴＩブロックと、第４および第５のダウンリンクスロットに対応するアップリンックスロットの中のＲＴＴＩブロックとがあるように、第１、第２、第３、第４、および第５のダウンリンクスロットを備える、任意の５つの連続ダウンリンクスロットの中から、最初の３つの連続ダウンリンクスロットを採用し、かつ第２、第３、第４、および第５の連続ダウンリンクスロットと対応する４つのアップリンクスロットを採用する、３＋４（ダウンリンク＋アップリンク）割当が提供される。
【００６０】
図５の実施例について、アップリンク割付の特定の実施例では、例えば、上記のＥＤＡアプローチを使用することによって、従来の２＋４割付に使用されるのと同じアプローチが使用されてもよい。
【００６１】
（５＋２割当の実施例）
ここで図６を参照して、混合モードＴＢＦ割当の第４の詳細な実施例を説明する。図６は、５つのダウンリンクスロットを使用する混合モードＴＴＩ  ＴＢＦ、および２つのスロットを使用するアップリンクＴＢＦの実施例を示す（例えば、クラス４１−４５に適切である）。図６の実施例について、ダウンリンク割付は、フレーム２４０、２４２、２４４、２４６にわたるスロット０の中のＢＴＴＩブロック２８０と、フレーム２４０、２４２にわたるスロット１および２の上のＲＴＴＩブロック２８２、２８４と、フレーム２４０、２４２にわたるスロット３および４の中のＲＴＴＩブロック２８６、２８８とを提供する。アップリンクについては、フレーム２４０、２４２にわたるスロット３および４の上のＲＴＴＩブロック２９０、２９２がある。
【００６２】
図６の実施例は、右に１、２、または３スロット移行することができる。つまり、第１のダウンリンクスロットの中のＢＴＴＩブロックと、第２および第３のダウンリンクスロットの中のＲＴＴＩブロックと、第４および第５のダウンリンクスロットの中のＲＴＴＩブロックと、第４および第５のダウンリンクスロットに対応するアップリンックスロットの中のＲＴＴＩブロックとがあるように、第１、第２、第３、第４、および第５のダウンリンクスロットを備える、任意の５つの連続ダウンリンクスロットを採用し、かつ第４および第５の連続ダウンリンクスロットと対応する２つのアップリンクスロットを採用する、５＋２（ダウンリンク＋アップリンク）混合ＴＴＩ  ＴＢＦが提供される。
【００６３】
図６の実施例について、アップリンク割付の特定の実施例では、アップリンク割付は、上記で説明されるような従来の動的割付を使用して達成することができる。
【００６４】
（アップリンク伝送２＋３割当の実施例に割り付けられた奇数スロットによる割付）
ここで図７を参照して、第５の詳細な実施例を提示する。図７は、２つのダウンリンクスロットを伴うダウンリンクＲＴＴＩ  ＴＢＦ、および３つのアップリンクスロットを採用するアップリンク混合モードＴＢＦを示す。この割付は、最大２つのタイムスロットの伝送能力を有する、クラス３０、３１、４０、および４１を除く、クラス１１、１２、３３およびそれ以上に適切である。示された特定の割付は、フレーム２４０、２４２中のダウンリンクスロット１および２上のダウンリンクＲＴＴＩブロック３００、３０２を含む。アップリンク上には、フレーム２４０、２４２中のアップリンクスロット１および２上に割り付けられたアップリンクＲＴＴＩブロック３０４、３０６と、フレーム２４０、２４２、２４４、２４６中のスロット３上のＢＴＴＩブロック３０８とがある。この場合、スロッペア１および２が、アップリンクおよびダウンリンク方向の両方にＲＴＴＩブロックを運ぶ一方で、スロット３は、アップリンク方向のみにＢＴＴＩブロックを運ぶ。アップリンクＲＴＴＩブロック（３０４、３０６）もフレーム２４４および２４６の中に割り付けられた場合には、混合ＴＴＩ  ＴＢＦを使用して、３つのブロックがアップリンク方向で２０ミリ秒の基本無線ブロック期間内に伝送される。
【００６５】
図７の割当は、左に１スロット、または右に１、２、３、または４スロット移動させることができる。つまり、第１および第２のダウンリンクスロットの中のＲＴＴＩブロックと、第１および第２のダウンリンクスロットに対応するアップリンックスロットの中のＲＴＴＩブロックと、第３のダウンリンクスロットに対応するアップリンックスロットの中のＢＴＴＩブロックとがあるように、第１、第２、第３のダウンリンクスロットを備える任意の３つの連続ダウンリンクスロットの中から、最初の２つの連続ダウンリンクスロットを採用し、かつ第１、第２、および第３の連続ダウンリンクスロットと対応する３つのアップリンクスロットを採用する、２＋３（ダウンリンク＋アップリンク）割当が提供される。
【００６６】
図７の実施例について、アップリンク割付の特定の実施例では、アップリンク方向にＲＴＴＩおよびＢＴＴＩブロックの両方を割り付けるために、アップリンク割付のための上記の修正された拡張動的割付アプローチを使用することができる。示された具体的実施例については、ダウンリンクスロット１および２は、アップリンクスロット１および２と対応することが定義されているダウンリンクスロットであると想定される。したがって、最初の２つのフレーム、次の２つのフレーム、または４つ全てのフレーム中のアップリンクスロット１および２の中にＲＴＴＩブロック３０４、３０６を割り付けるため、および、次の４つのフレームにわたってＢＴＴＩブロック３０８に割り当てられたダウンリンクスロット３を割り付けるために、スロット１および２の一方または両方の中のダウンリンクＲＴＴＩブロック３００、３０２におけるＵＳＦを使用することができる。
【００６７】
（３＋３割当の実施例−第１の実施例）
図４Ａの実施例に戻ると、これは、アップリンクに割り付けられた奇数のスロットによる実施例であった。上記のダウンリンクスロットペア１および２がＲＴＴＩブロック２２０、２２２を運び、ダウンリンクスロット３がダウンリンック方向にＢＴＴＩブロック２２４を運ぶこと思い出されたい。アップリンクスロットペア２および４は、ＲＴＴＩブロック２２６、２３０に割り当てられ、スロット３は、ＢＴＴＩブロック２２８に割り当てられる。
【００６８】
図４Ａの実施例について、アップリンク割付の第１の実施例では、ＴＢＦ全体が割り付けられる時に、上記の修正された動的割付アプローチをアップリンク割付に使用することができる。示された具体的実施例については、ダウンリンクスロット１および２は、ＲＴＴＩブロック割当のためのＢＴＴＩ  ＵＳＦ伝送の目的で、アップリンクスロット２および４と対応することが定義されているダウンリンクスロットであると想定される。したがって、最初の２つのフレーム、次の２つのフレーム、または４つ全てのフレーム中のアップリンクスロット２および４の中にＲＴＴＩブロック２２６、２３０を割り付けるために、スロット１および２の一方または両方の中のダウンリンクＲＴＴＩブロック２２０、２２２におけるＵＳＦを使用することができる。ＢＴＴＩモードに割り当てられたダウンリンクスロット３は、ＢＴＴＩモードに割り当てられたアップリンクスロット３と同じスロット番号である。ダウンリンクスロット３におけるＵＳＦは、次の４つのフレームの中のＢＴＴＩブロック２２８にアップリンクスロット３を割り付ける。完全な割付のために、ＵＳＦが、スロット１および／または２、およびスロット３で必要とされる。ＢＴＴＩブロック２２８のみが割り付けられている時、ダウンリンクスロット３の中のＵＳＦフラグは、スロット３の中にアップリンクＢＴＴＩブロック２２８を割り付ける。
【００６９】
図４Ａの実施例について、アップリンク割付の第２の実施例では、ＴＢＦ全体が割り付けられる時に、上記の修正された拡張動的割付アプローチをアップリンク割付に使用することができる。示された具体的実施例については、ダウンリンクスロット１および２は、ＲＴＴＩブロック割当のためのＢＴＴＩ  ＵＳＦ伝送の目的で、アップリンクスロット２および４と対応するダウンリンクスロットであると定義されることが想定される。したがって、それぞれ、最初の２つのフレーム、次の２つのフレーム、または４つ全てのフレーム中のアップリンクスロット２および４の中にＲＴＴＩブロック２２６、２３０を割り付けるため、および、この実施例では、次の４つのフレームにわたって、スロット２および４のいずれか一方よりも高い番号を有する、ＢＴＴＩモードで割り当てられた任意のアップリンクスロット、すなわち、アップリンクスロット３を割り付けるために、スロット１、２、またはスロット１および２の両方の中のダウンリンクＲＴＴＩブロック２２０、２２２におけるＵＳＦを使用することができる。
【００７０】
（３＋３割当の実施例−第２の実施例）
図４Ｂの実施例に戻ると、これは、ＢＴＴＩブロックに使用された奇数のスロットがＲＴＴＩ  ブロックに対する２つのスロットの間になかった、アップリンクに割り付けられた奇数のスロットによる実施例であった。この場合のアップリンク割付のために、アップリンクスロットの全てを割り付けるために、上記の修正されたＥＤＡアプローチを使用することができる。示された具体的実施例について、ダウンリンクスロット２および３は、アップリンクスロット２および３と対応することが定義されているダウンリンクスロットであると想定される。したがって、最初の２つのフレーム、次の２つのフレーム、または４つ全てのフレーム中のアップリンクスロット２および３の中にＲＴＴＩブロック２２７、２３１を割り付けるため、および、次の４つのフレームにわたってＢＴＴＩブロック２２９に割り当てられたダウンリンクスロット４を割り付けるために、スロット１および２の一方または両方の中のダウンリンクＲＴＴＩブロック２２５、２２１におけるＵＳＦを使用することができる。
【００７１】
（４＋３割当の実施例）
ここで図８を参照して、別の詳細な実施例を提示する。図８は、ダウンリンク用の４つのダウンリンクスロットを採用するＲＴＴＩ  ＴＢＦ、および３つのアップリンクスロットを採用する混合ＴＴＩ  ＴＢＦを示す。この割付は、例えば、クラス４１〜４５に適切である。示された特定の割付は、フレーム２４０、２４２中のダウンリンクスロット０および１上のダウンリンクＲＴＴＩブロック３１０、３１２と、フレーム２４０、２４２中のダウンリンクスロット２および３上のダウンリンクＲＴＴＩブロック３１４、３１６とを含む。アップリンク上には、フレーム２４０、２４２中のアップリンクスロット２および３上のアップリンクＲＴＴＩブロック３１８、３２０と、フレーム２４０、２４２、２４４、２４６中のスロット４上のアップリンクＢＴＴＩブロック３２２とがある。
【００７２】
図８の割当は、右に１、２、または３スロット移動させることができる。つまり、第１および第２のダウンリンクスロットの中のＲＴＴＩブロックと、第３および第４のダウンリンクスロットの中のＲＴＴＩブロックと、第３および第４のダウンリンクスロットに対応するアップリンックスロットの中のＲＴＴＩブロックと、第３および第４のダウンリンクスロットに対応するアップリンックスロットの中のＲＴＴＩブロックと、第５のダウンリンクスロットに対応するアップリンックスロットの中のＢＴＴＩブロックとがあるように、第１、第２、第３、第４および第５のダウンリンクスロットを備える任意の５つの連続ダウンリンクスロットの中から、最初の４つの連続ダウンリンクスロットを採用し、かつ第３、第４、および第５の連続ダウンリンクスロットと対応する３つのアップリンクスロットを採用する、４＋３（ダウンリンク＋アップリンク）割当が提供される。
【００７３】
図８のアップリンク割付は、図７について説明されるのと同じ方式で行うことができる。
【００７４】
（２＋５割付の実施例）
ここで図９を参照して、別の詳細な実施例を提示する。図９は、２つのダウンリンクスロットを採用するダウンリンクＲＴＴＩ  ＴＢＦ、および５つのアップリンクスロットを採用する混合ＴＴＩ  ＴＢＦを示す。この割付は、例えば、クラス４１〜４５に適切である。示された特定の割付は、フレーム２４０、２４２中のダウンリンクスロット０および１上のダウンリンクＲＴＴＩブロック３３０、３３２を含む。アップリンク上には、フレーム２４０、２４２中のアップリンクスロット０および１上のアップリンクＲＴＴＩブロック３３４、３３６と、フレーム２４０、２４２中のスロット２および３上のアップリンクＲＴＴＩブロック３３８、３４０とがあり、また、フレーム２４０、２４２、２４４、２４６中のスロット４上のアップリンクＢＴＴＩブロック３４２もある。
【００７５】
図９の割当は、右に１、２、または３スロット移動させることができる。つまり、第１および第２のダウンリンクスロットの中のＲＴＴＩブロックと、第１および第２のダウンリンクスロットに対応するアップリンックスロットの中のＲＴＴＩブロックと、第３および第４のダウンリンクスロットに対応するアップリンックスロットの中のＲＴＴＩブロックと、第５のダウンリンクスロットに対応するアップリンックスロットの中のＢＴＴＩブロックとがあるように、第１、第２、第３、第４および第５のダウンリンクスロットを備える任意の５つの連続ダウンリンクスロットの中から、最初の２つの連続ダウンリンクスロットを採用し、かつ第１、第２、第３、第４および第５の連続ダウンリンクスロットと対応する５つのアップリンクスロットを採用する、２＋５（ダウンリンク＋アップリンク）割当が提供される。
【００７６】
図９の実施例のアップリンク割付は、上記の修正されたＥＤＡアプローチを使用して行うことができる。示された具体的実施例については、ダウンリンクスロット０および１は、ＲＴＴＩブロック割当のためのＢＴＴＩ  ＵＳＦ伝送の目的で、アップリンクスロット０および１と対応するダウンリンクスロットであると定義されることが想定される。したがって、それぞれ、最初の２つのフレーム、次の２つのフレーム、または４つ全てのフレーム中で、スロット０および１の中にＲＴＴＩブロック３３０、３３２を、より高い番号のスロットの中に任意の割り当てられたＲＴＴＩブロックを、すなわち、スロット２および３の中に、ＲＴＴＩブロック３３８、３４０を割り付けるため、および、この実施例では、次の４つのフレームにわたって、スロット０および１のいずれか一方よりも高い番号を有する、ＢＴＴＩモードで割り当てられた任意のアップリンクスロット、すなわち、アップリンクスロット４を割り付けるために、スロット０、１、またはスロット０および１の両方の中のダウンリンクＲＴＴＩブロック３３０、３３２におけるＵＳＦを使用することができる。
【００７７】
（融通性タイムスロット割当および混合ＴＴＩ  ＴＢＦ）
融通性タイムスロット割当（ＦＴＡ）は、割当にさらなる融通性をもたらすが、割付は、ＵＥの多重スロット能力によって限定される。融通性タイムスロット割当により、ネットワークは、ＴＤＭＡフレームごとに実際にＭＳ（移動ステーション）によって使用することができるアップリンクおよびダウンリンクタイムスロットの総数を超える、多数のアップリンクおよびダウンリンクタイムスロットを割り当ててもよい。この場合、ネットワークは、各無線ブロック期間において、ＭＳに割り付けられているアップリンクおよびダウンリンクタイムスロットの総数が、ＴＤＭＡフレームごとに実際にＭＳによって使用することができるアップリンクおよびダウンリンクタイムスロットの総数を超えないことを確実にするものである。この技法は、割り当てられたリソースを割り付ける方法について、ある程度の融通性を提供する。混合ＴＴＩ  ＴＢＦ割当には、動作のＲＴＴＩモードのためのペアを見出すことができない奇数スロットを割り付ける能力を超えて拡張する、融通性タイムスロット割当を使用する時に、利点がある。
【００７８】
１つの基本無線ブロック期間（２０ミリ秒）が、異なるＴＴＩ割付を切り替えるために必要とされる。図１０を参照して、これを一例として説明する。この場合、ネットワークは、ダウンリンクにおいてＲＴＴＩブロック３５０、３５２を運ぶようにスロット１および２が割り当てられ、ダウンリンクにおいてＢＴＴＩブロック３５４、３５６、３５８を運ぶようにスロット３、４、および５が割り当てられる、混合ＴＴＩ  ＴＢＦダウンリンク割当を示していると想定される。ネットワークはまた、アップリンクにおいてＲＴＴＩブロック３６０、３６２を運ぶようにスロット１および２が割り当てられ、アップリンクにおいてＢＴＴＩブロック３６４および３６６を運ぶようにスロット３および４が割り当てられる、混合ＴＴＩ  ＴＢＦダウンリンク割当も示す。既存の融通性タイムスロット割当の用途（ＴＢＦあたり１つだけのＴＴＩモードが割り当てられる）と同様に、割付は、所与のＵＥの多重スロット能力に従って行うことしかできない。
【００７９】
上記の割当を定義すると、所与のユーザ機器の多重スロット能力と一致する種々の異なる割付を行うことができる。図１１および１２は、図１０に示される割当と一致する、瞬時ＲＴＴＩおよびＢＴＴＩ割付の２つの実施例である。図１１では、ＲＴＴＩブロック３５０、３５２および３６０、３６２は、それぞれ、ダウンリンクおよびアップリンクについて、タイムスロット１および２の中に割り付けられる。図１２の実施例では、ＢＴＴＩブロック３５４、３５６および３６４、３６６は、それぞれ、ダウンリンクおよびアップリンクについて、タイムスロット３および４の中に割り付けられる。他の瞬時ＢＴＴＩ割付（実施例３＋１）が、この割当のために可能である（多重スロット能力の制約によって限定される）。
【００８０】
（さらなる強化）
いくつかの実施形態では、ＲＬＣ／ＭＡＣアップリンク／ダウンリンク割当メッセージは、混合モードＴＢＦを割り付けるように強化させられる。いくつかの実施形態では、これは、ＲＴＴＩペアを形成するスロットに加えて、ＢＴＴＩブロックを運ぶスロットを示す。いくつかの実施形態では、パケットダウンリンク割当メッセージ、パケットアップリンク割当メッセージ、およびパケットタイムスロット再構成メッセージといった、これらの信号伝達メッセージが修正される。
【００８１】
いくつかの実施形態では、ＢＴＴＩブロックまたはＲＴＴＩブロックとしてのＲＬＣ（無線リンク制御）ブロックの伝送／受信は、図１３を参照して以下で詳述される、以下の方法に従う。この方法は、伝送および／または受信の役割でＵＥによって行うことができ、伝送および／または受信の役割でネットワークによって行うことができる。この特定の方法は、特に、動作のＲＬＣ非応答モードに対して、順序よくＲＬＣブロックの送達を確実にする。方法への入力は、ＲＴＴＩブロックを運ぶスロットペアのスロットａおよびスロットｂと、混合ＴＴＩモードＴＢＦで割り当てられるＢＴＴＩスロットｃとを使用して、ｉ＜ｊである、ＢＳＮ  ｉ、ｊを伴う２つのＲＬＣブロックを伝送／受信するステップを対象とする。
【００８２】
スロットａおよびスロットｂが、基本２０ミリ秒時間単位ブロックの最初の２つのＴＤＭＡフレーム（最初の１０ミリ秒）の中に割り付けられた場合は（「はい」の経路、ブロック１３−１）、ブロック１３−２において、ＢＳＮ  ｉを伴うＲＬＣブロックが、スロットペアのスロットａおよびスロットｂ上のＲＴＴＩブロックとして伝送／受信され、ブロック１３−３において、ＢＳＮ  ｊを伴うＲＬＣブロックが、スロットｃ上のＢＴＴＩモードで伝送／受信される。
【００８３】
スロットａおよびスロットｂが、基本２０ミリ秒時間単位ブロックの最後の２つのＴＤＭＡフレーム（次の１０ミリ秒）の中に割り付けられた場合は（「いいえ」の経路、ブロック１３−１）、以下の規則が該当する。
【００８４】
スロットａおよびスロットｂの両方が、＜スロットｃである場合は（「はい」の経路、ブロック１３−４）、ブロック１３−５において、ＢＳＮ  ｉを伴うＲＬＣブロックが、スロットペアのスロットａおよびスロットｂ上のＲＴＴＩブロックとして伝送／受信され、ブロック１３−６において、ＢＳＮ  ｊを伴うＲＬＣブロックが、スロットｃ上のＢＴＴＩモードで伝送／受信される。
【００８５】
さもなければ（「いいえの経路」、ブロック１３−４）、ブロック１３−７において、ＢＳＮ  ｉを伴うＲＬＣブロックが、スロットｃ上のＢＴＴＩモードで伝送／受信され、ブロック１３−８において、ＢＳＮ  ｊを伴うＲＬＣブロックが、スロットペアのスロットａおよびスロットｂ上のＲＴＴＩブロックとして伝送／受信される。
【００８６】
いくつかの実施形態では、上記で説明される混合ＴＴＩ  ＴＢＦの概念は、（デュアルダウンリンクキャリア）ＤＬＤＣ構成に適用することもできる。
【００８７】
詳細な実施例の全ては、少なくとも１つのＲＴＴＩブロックおよび少なくとも１つのＢＴＴＩブロックを組み合わせる、混合ＴＴＩ  ＴＢＦの定義および使用を伴っている。より一般的には、混合型のスロットの組み合わせが定義される。混合ＴＴＩ  ＴＢＦは、混合型のスロットの組み合わせの具体的実施例である。より一般的には、混合型のスロットの組み合わせには、少なくとも２つの異なる種類のスロットがある。ＢＴＴＩモードスロットおよびＲＴＴＩモードスロットは、２つの異なる種類のスロットの実施例であるが、他の種類が構想される。そのような混合型のスロットの組み合わせは、アップリンクまたはダウンリンクに割り当てることができる。
【００８８】
割付に従った通信は、動作主がネットワークであるかＵＥであるかに応じて、かつアップリンク通信であるかダウンリンク通信であるかに応じて、適切であってもよいような受信または伝送を指す。
【００８９】
ここで図２０を参照すると、ネットワークアクセス機器による実行のための方法のフローチャートが示されている。方法は、第１の混合型のスロット組み合わせを定義するステップで、ブロック２０−１から開始する。方法は、第１の混合型のスロットの組み合わせを単一フローに割り当てる単一の割当メッセージを伝送するステップで、ブロック２０−２において継続する。これは、第１の混合型のスロットの組み合わせを単一フローに割り当てる割当メッセージを、他のスロットを他のフローに割り当てることから除外せず、他の割当を行う他の割当メッセージを除外しないことに留意されたい。詳細な実施例では、フローはＴＢＦであり、所与のＴＢＦは、通常は、特定のアプリケーションおよび／またはＰＤＰコンテキストと関連する。より一般に、フローは、通常は１つのアプリケーションに属し、本質的にバースト式である、いくらかの量のデータである。フローは、例えば、待ち行列に入れられたデータを伝送するように確立され、次いで、待ち行列が空である時に解放されてもよい。
【００９０】
方法は、ブロック２０−３において、割当に基づいてネットワーク通信を継続してもよい。これは、ダウンリンク割当であれば割当を使用して伝送するステップ、または、アップリンク割当であれば割当についてアップリンク割付を伝送し、次いで、割付に従って受信するステップを伴ってもよい。
【００９１】
いくつかの実施形態では、ブロック２０−１が実行されず、混合型のスロットの組み合わせは、方法への入力を構成する。
【００９２】
ここで図２１を参照すると、ＵＥによる実行のための方法のフローチャートが示されている。方法は、ブロック２１−１において、第１の混合型のスロットの組み合わせを単一フローに割り当てる単一の割当メッセージを受信するユーザ機器で開始する。これは、所与の実装に応じて、アップリンク割当、ダウンリンク割当、または両方を含んでもよい。方法は、ブロック２１−２において、受信された割当に基づいて通信するＵＥで継続する。これは、ダウンリンク割当であれば割当を使用して受信するステップ、または、アップリンク割当であれば割当についてアップリンク割付を受信し、次いで、割付に従って伝送するステップを伴ってもよい。
【００９３】
上記の過程を実行するために、ＵＥ１０は、上記の過程を行うことが可能なプロセッサを備える。簡単にするために、異なる機能が異なるモジュールに分けられている。これらのモジュールは、別個または一緒に実装されてもよい。さらに、これらのモジュールは、ハードウェア、ソフトウェア、または何らかの組み合わせで実装されてもよい。最終的に、これらのモジュールは、ＵＥメモリの異なる部分に存在してもよい。図１８に示されるように、ＵＥプロセッサは、受信モジュール８０１と、決定モジュール８０３と、伝送モジュール８０７とを備える。受信モジュール８０１は、使用する混合ＴＴＩ  ＴＢＦの割当を示すメッセージを受信する。これはまた、アップリンク割付のための割付情報であってもよい。決定モジュール８０３は、メッセージを復号して混合ＴＴＩ  ＴＢＦを決定する。受信モジュール８０１および伝送モジュール８０７は、混合ＴＴＩ  ＴＢＦ割当の割付に従って受信および／または伝送する。
【００９４】
ここで図１９を参照すると、ネットワークアクセス機器２０はまた、プロセッサも備える。プロセッサは、受信モジュール９０１と、選択モジュール９０３と、伝送モジュール９０５とを備える。再度、これらのモジュールは、簡単にするために定義され、ソフトウェア、ハードウェア、ファームウェア、または両方で実行されてもよい。最終的に、これらのモジュールは、ネットワークアクセス機器の同じ部分または異なる部分に存在してもよい。選択モジュール９０３は、ＵＥに対する混合ＴＴＩ  ＴＢＦ割当を割り当てるように、および、ＵＥに混合ＴＴＩ  ＴＢＦ割当を信号伝達するよう伝送モジュール９０３に命令するように、構成される。受信モジュール９０１および伝送モジュール９０３は、混合ＴＴＩ  ＴＢＦ割当の割付を使用して、受信および／または伝送するように構成される。このアプローチは、特定のネットワークアクセス機器２０によって使用可能になっている複数のＵＥのそれぞれに対して取られる。
【００９５】
図１４は、ＵＥ１０の実施形態を含む、無線通信システムを示す。ＵＥ１０は、本開示の局面を実装するために動作可能であるが、本開示は、これらの実装に限定されるべきではない。携帯電話として図示されているが、ＵＥ１０は、無線ハンドセット、ポケットベル、携帯情報端末（ＰＤＡ）、携帯用コンピュータ、タブレットコンピュータ、またはラップトップコンピュータを含む、種々の形態を成してもよい。多くの好適な装置は、これらの機能のうちのいくつかはまた全てを組み合わせる。本開示のいくつかの実施形態では、ＵＥ１０は、携帯用、ラップトップ、またはタブレットコンピュータのような汎用計算装置ではないが、むしろ、携帯電話、無線ハンドセット、ポケットベル、ＰＤＡ、または車両に設置される電気通信装置等の専用通信装置である。別の実施形態では、ＵＥ１０は、携帯用、ラップトップ、または他の計算装置であってもよい。ＵＥ１０は、ゲーム、在庫管理、ジョブ制御、および／またはタスク管理機能等の特殊活動を支援してもよい。
【００９６】
ＵＥ１０は、ディスプレイ４０２を含む。ＵＥ１０はまた、ユーザによる入力のために、概して４０４と呼ばれるタッチセンサ式表面、キーボード、または他の入力キーを含む。キーボードは、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであってもよい。入力キーは、さらなる入力機能を提供するように内向きに押下されてもよい、トラックホイール、終了またはエスケープキー、トラックボール、および他のナビゲーションまたは機能キーを含んでもよい。ＵＥ１０は、ユーザが選択するためのオプション、ユーザが作動させるための制御、および／またはユーザが指図するためのカーソルまたは他の指標を提示してもよい。
【００９７】
ＵＥ１０はさらに、ダイヤルする番号、またはＵＥ１０の動作を構成するための種々のパラメータを含む、ユーザからのデータ入力を受け取ってもよい。ＵＥ１０はさらに、ユーザコマンドに応じて、１つ以上のソフトウェアまたはファームウェアアプリケーションを実行してもよい。これらのアプリケーションは、ユーザ対話に反応して種々のカスタマイズされた機能を果たすようにＵＥ１０を構成してもよい。加えて、ＵＥ１０は、例えば、無線基地局、無線アクセスポイント、またはピアＵＥ１０から、無線でプログラムおよび／または構成されてもよい。
【００９８】
ＵＥ１０によって実行可能な種々のアプリケーションの中には、ディスプレイ４０２がウェブページを表示することを可能にするウェブブラウザがある。ウェブページは、無線ネットワークアクセスノード、携帯電話の基地局、ピアＵＥ１０、または任意の他の無線通信ネットワークあるいはシステム４００との無線通信を介して、取得されてもよい。ネットワーク４００は、インターネット等の有線ネットワーク４０８に連結される。無線リンクおよび有線ネットワークを介して、ＵＥ１０は、サーバ４１０等の種々のサーバ上の情報にアクセスできる。サーバ４１０は、ディスプレイ４０２上に示されてもよいコンテンツを提供してもよい。あるいは、ＵＥ１０は、リレー型またはホップ型の接続で、仲介の役割を果たすピアＵＥ１０を通してネットワーク４００にアクセスしてもよい。
【００９９】
図１５は、ＵＥ１０のブロック図を示す。ＵＥ１０の種々の既知の構成要素が描写されているが、実施形態では、記載された構成要素および／または記載されていない付加的な構成要素の一部が、ＵＥ１０に含まれてもよい。ＵＥ１０は、デジタル信号プロセッサ（ＤＳＰ）５０２と、メモリ５０４とを含む。示されるように、ＵＥ１０はさらに、アンテナおよびフロントエンドユニット５０６と、無線周波数（ＲＦ）送受信機５０８と、アナログベースバンド処理ユニット５１０と、マイクロホン５１２と、イヤホンスピーカ５１４と、ヘッドセットポート５１６と、入力／出力インターフェース５１８と、取外し可能なメモリカード５２０と、ユニバーサルシリアルバス（ＵＳＢ）ポート５２２と、短距離無線通信サブシステム５２４と、アラート５２６と、キーパッド５２８と、タッチセンサ式表面を含んでもよい液晶ディスプレイ（ＬＣＤ）５３０と、ＬＣＤコントローラ５３２と、電荷結合素子（ＣＣＤ）カメラ５３４と、カメラコントローラ５３６と、グローバルポジショニングシステム（ＧＰＳ）センサ５３８とを含んでもよい。実施形態では、ＵＥ１０は、タッチセンサ式画面を提供しない、別の種類のディスプレイを含んでもよい。実施形態では、ＤＳＰ５０２は、入力／出力インターフェース５１８を通過せずに、メモリ５０４と直接通信してもよい。
【０１００】
ＤＳＰ５０２または何らかの他の形態のコントローラあるいは中央処理ユニットは、メモリ５０４に記憶された、またはＤＳＰ５０２自体内に含有されるメモリに記憶された、組み込みソフトウェアまたはファームウェアに従って、ＵＥ１０の種々の構成要素を制御するように動作する。組み込みソフトウェアまたはファームウェアに加えて、ＤＳＰ５０２は、メモリ５０４に記憶された、または、取外し可能なメモリカード５２０のような携帯用データ記憶媒体等の情報担体媒体を介して、あるいは有線または無線ネットワーク通信を介して利用可能となった、他のアプリケーションを実行してもよい。アプリケーションソフトウェアは、所望の機能性を提供するようにＤＳＰ５０２を構成する、コンパイルされた一式の機械可読命令を備えてもよく、または、アプリケーションソフトウェアは、ＤＳＰ５０２を間接的に構成するようにインタープリタまたはコンパイラによって処理される、高次ソフトウェア命令であってもよい。
【０１０１】
アンテナおよびフロントエンドユニット５０６は、無線信号と電気信号との間で変換するように提供されてもよく、ＵＥ１０が、セルラーネットワークまたは何らかの他の利用可能な無線通信ネットワークから、あるいはピアＵＥ１０から、情報を送受信することを可能にする。実施形態では、アンテナおよびフロントエンドユニット５０６は、ビーム形成および／または多重入出力（ＭＩＭＯ）動作を支援するように、複数のアンテナを含んでもよい。当業者に公知であるように、ＭＩＭＯ動作は、困難なチャネル条件を克服する、および／またはチャネルスループットを増加させるために使用することができる、空間的多様性を提供してもよい。アンテナおよびフロントエンドユニット５０６は、アンテナ同調および／またはインピーダンス整合構成要素、ＲＦ電力増幅器、および／または低雑音増幅器を含んでもよい。
【０１０２】
ＲＦ送受信機５０８は、周波数偏移を提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等の、他の信号処理機能性を含むと理解されてもよい。簡単にする目的で、ここでの説明は、ＲＦおよび／または無線段階から、この信号処理の説明を分離し、その信号処理を、アナログベースバンド処理ユニット５１０および／またはＤＳＰ５０２あるいは他の中央処理ユニットに概念的に割り当てる。いくつかの実施形態では、ＲＦ送受信機５０８、アンテナおよびフロントエンド５０６の複数部分、およびアナログベースバンド処理ユニット５１０が、１つ以上の処理ユニットおよび／または特定用途向け集積回路（ＡＳＩＣ）に組み入れられてもよい。
【０１０３】
アナログベースバンド処理ユニット５１０は、入力および出力の種々のアナログ処理、例えば、マイクロホン５１２およびヘッドセット５１６からの入力、ならびにイヤホン５１４およびヘッドセット５１６への出力のアナログ処理を提供してもよい。そのためには、アナログベースバンド処理ユニット５１０は、ＵＥ１０が携帯電話として使用されることを可能にする、内蔵マイクロホン５１２およびイヤホンスピーカ５１４に接続するためのポートを有してもよい。アナログベースバンド処理ユニット５１０はさらに、ヘッドセットまたは他のハンズフリーマイクロホンおよびスピーカ構成に接続するためのポートを含んでもよい。アナログベースバンド処理ユニット５１０は、１つの信号方向にデジタル・アナログ変換を、反対の信号方向にアナログ・デジタル変換を提供してもよい。いくつかの実施形態では、アナログベースバンド処理ユニット５１０の機能性の少なくとも一部が、デジタル処理構成要素によって、例えば、ＤＳＰ５０２によって、または他の中央処理ユニットによって提供されてもよい。
【０１０４】
ＤＳＰ５０２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。実施形態では、例えば、符号分割多重アクセス（ＣＤＭＡ）技術用途で、伝送器機能のために、ＤＳＰ５０２は、変調、符号化、インターリービング、および拡散を行ってもよく、受信機機能のために、ＤＳＰ５０２は、逆拡散、デインターリービング、復号、および復調を行ってもよい。別の実施形態では、例えば、直交周波数分割多重アクセス（ＯＦＤＭＡ）技術用途で、伝送器機能のために、ＤＳＰ５０２は、変調、符号化、インターリービング、逆高速フーリエ変換、および周期的接頭辞添付を行ってもよく、受信機機能のために、ＤＳＰ５０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ５０２によって行われてもよい。
【０１０５】
ＤＳＰ５０２は、アナログベースバンド処理ユニット５１０を介して無線ネットワークと通信してもよい。いくつかの実施形態では、通信は、インターネット接続を提供してもよく、ユーザがインターネット上のコンテンツへのアクセスを獲得すること、およびＥメールおよびテキストメッセージを送受信することを可能にする。入力／出力インターフェース５１８は、ＤＳＰ５０２ならびに種々のメモリおよびインターフェースを相互接続する。メモリ５０４および取外し可能なメモリカード５２０は、ソフトウェアおよびデータを提供して、ＤＳＰ５０２の動作を構成してもよい。インターフェースの中には、ＵＳＢインターフェース５２２および短距離無線通信サブシステム５２４があってもよい。ＵＳＢインターフェース５２２は、ＵＥ１０を充電するために使用されてもよく、また、ＵＥ１０が周辺装置として機能し、パーソナルコンピュータまたは他のコンピュータシステムと情報を交換することを可能にしてもよい。短距離無線通信サブシステム５２４は、赤外線ポート、Ｂｌｕｅｔｏｏｔｈインターフェース、ＩＥＥＥ  ８０２．１１準拠無線インターフェース、または、ＵＥ１０が他の近くの携帯装置および／または無線基地局と無線通信することを可能にしてもよい、任意の他の短距離無線通信サブシステムを含んでもよい。
【０１０６】
入力／出力インターフェース５１８はさらに、誘起されると、例えば、ベルを鳴らす、メロディを再生する、または振動することによって、ＵＥ１０にユーザへ通知を提供させる、アラート５２６にＤＳＰ５０２を接続してもよい。アラート５２６は、無音で振動することによって、または特定の架電者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【０１０７】
キーパッド５２８は、インターフェース５１８を介してＤＳＰ５０２に連結し、ユーザが選択を行う、情報を入力する、そうでなければＵＥ１０に入力を提供するための１つの機構を提供する。キーボード５２８は、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであってもよい。入力キーは、さらなる入力機能を提供するように内向きに押下されてもよい、トラックホイール、終了またはエスケープキー、トラックボール、および他のナビゲーションまたは機能キーを含んでもよい。別の入力機構は、タッチスクリーン能力を含み、また、ユーザにテキストおよび／またはグラフィックを表示してもよい、ＬＣＤ５３０であってもよい。ＬＣＤコントローラ５３２は、ＤＳＰ５０２をＬＣＤ５３０に連結する。
【０１０８】
ＣＣＤカメラ５３４は、装備された場合、ＵＥ１０がデジタル写真を撮ることを可能にする。ＤＳＰ５０２は、カメラコントローラ５３６を介してＣＣＤカメラ５３４と通信する。別の実施形態では、電荷結合素子カメラ以外の技術に従って動作するカメラが採用されてもよい。ＧＰＳセンサ５３８は、グローバルポジショニングシステム信号を復号するようにＤＳＰ５０２に連結され、それにより、ＵＥ１０がその位置を決定することを可能にする。種々の他の周辺機器もまた、付加的な機能、例えば、ラジオおよびテレビ受信を提供するように含まれてもよい。
【０１０９】
図１６は、ＤＳＰ５０２によって実装されてもよい、ソフトウェア環境６０２を示す。ＤＳＰ５０２は、そこからソフトウェアの他の部分が動作するプラットフォームを提供する、オペレーティングシステムドライバ６０４を実行する。オペレーティングシステムドライバ６０４は、アプリケーションソフトウェアにアクセス可能である標準化インターフェースを伴う無線装置ハードウェアに対するドライバを提供する。オペレーティングシステムドライバ６０４は、ＵＥ１０上で作動するアプリケーションの間で制御を転送する、アプリケーション管理サービス（「ＡＭＳ」）６０６を含む。図６には、ウェブブラウザアプリケーション６０８、メディアプレーヤアプリケーション６１０、およびＪａｖａ（登録商標）アプレット６１２も示されている。ウェブブラウザアプリケーション６０８は、ウェブブラウザとして動作するようにＵＥ１０を構成し、ユーザがフォームに情報を入力し、リンクを選択してウェブページを読み出し、閲覧することを可能にする。メディアプレーヤアプリケーション６１０は、音声または視聴覚媒体を読み出し、再生するようにＵＥ１０を構成する。Ｊａｖａ（登録商標）アプレット６１２は、ゲーム、ユーティリティ、および他の機能性を提供するようにＵＥ１０を構成する。構成要素６１４は、本開示に関係する提供性を提供する場合がある。
【０１１０】
図１のＵＥ１０、ＥＮＢ２０、および中央制御１１０、ならびにセル１０２と関連する場合がある他の構成要素は、その上に置かれた必要な作業負荷に対処するように、十分な処理能力、メモリリソース、およびネットワークスループットを伴う任意の汎用コンピュータを含んでもよい。図１７は、本明細書で開示される１つ以上の実施形態を実装するために好適であってもよい、通常の汎用コンピュータシステム７００を示す。コンピュータシステム７００は、２次記憶部７５０、読み出し専用メモリ（ＲＯＭ）７４０、ランダムアクセスメモリ（ＲＡＭ）７３０、入力／出力（Ｉ／Ｏ）装置７００、およびネットワーク接続装置７６０を含む、メモリ装置と通信しているプロセッサ７２０（中央プロセッサユニットまたはＣＰＵと呼ばれてもよい）を含む。プロセッサは、１つ以上のＣＰＵチップとして実装されてもよい。
【０１１１】
２次記憶部７５０は、通常は、１つ以上のディスクドライブまたはテープドライブから成り、データの不揮発性記憶のために、かつＲＡＭ７３０が全ての作業データを担持するほど大きくない場合にオーバーフローデータ記憶装置として使用される。２次記憶部７５０は、プログラムが実行のために選択された時等に、ＲＡＭ７３０に取り込まれるそのようなプログラムを記憶するために使用されてもよい。ＲＯＭ７４０は、プログラム実行中に読み出される命令と、おそらくはデータとを記憶するために使用される。ＲＯＭ７４０は、通常は、２次記憶部のより大きいメモリ容量に対して小さいメモリ容量を有する、不揮発性メモリ装置である。  ＲＡＭ７３０は、揮発性データを記憶するため、および、おそらく命令を記憶するために使用される。ＲＯＭ７４０およびＲＡＭ７３０の両方へのアクセスは、通常は、２次記憶部７５０へのアクセスよりも速い。
【０１１２】
Ｉ／Ｏ装置７００は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カード読取機、紙テープレコーダ、または他の周知の入力装置を含んでもよい。
【０１１３】
ネットワーク接続装置７６０は、モデム、モデムバンク、イーサネット（登録商標）カード、ユニバーサルシリアルバス（ＵＳＢ）インターフェースカード、シリアルインターフェース、トークンリングカード、光ファイバ分散データインターフェース（ＦＤＤＩ）カード、無線ローカルエリアネットワーク（ＷＬＡＮ）カード、符号分割多重アクセス（ＣＤＭＡ）等の無線送受信機カードおよび／または移動通信用グローバルシステム（ＧＳＭ）無線送受信機カード、および他の周知のネットワーク装置の形態を成してもよい。これらのネットワーク接続７６０装置は、プロセッサ７２０がインターネットまたは１つ以上のイントラネットと通信することを可能にしてもよい。そのようなネットワーク接続により、プロセッサ７２０がネットワークから情報を受信する場合がある、または、上記の方法のステップを行う経過中にネットワークに情報を出力する場合があることが検討される。しばしば、プロセッサ７２０を使用して実行される一連の命令として表される、そのような情報は、例えば、搬送波に組み込まれたコンピュータデータ信号の形態で、ネットワークから受信され、ネットワークに出力されてもよい。
【０１１４】
例えば、データまたはプロセッサ７２０を使用して実行される命令を含んでもよい、そのような情報は、例えば、コンピュータデータベースバンド信号または搬送波に組み込まれた信号の形態で、ネットワークから受信され、ネットワークに出力されてもよい。ネットワーク接続７６０装置によって生成される、ベースバンド信号または搬送波に組み込まれた信号は、導電体の表面の中または上、同軸ケーブルの中、導波管の中、光媒体、例えば、光ファイバの中、または空気あるいは自由空間の中で伝播してもよい。ベースバンド信号または搬送波に組み込まれた信号に含有される情報は、情報を処理または生成するため、あるいは情報を伝送または受信するために望ましくてもよいように、異なる順序に従って順序付けられてもよい。本明細書では伝送媒体と呼ばれる、ベースバンド信号または搬送波に組み込まれた信号、あるいは現在使用されているか、または以降で発生させられる他の種類の信号は、当業者に周知であるいくつかの方法に従って生成されてもよい。
【０１１５】
プロセッサ７２０は、ハードディスク、フロッピー（登録商標）ディスク、光ディスク（これらの種々のディスクベースのシステムは、全て２次記憶部７５０と見なされてもよい）、ＲＯＭ７４０、ＲＡＭ７３０、またはネットワーク接続装置７６０からアクセスする、命令、コード、コンピュータプログラム、スクリプトを実行する。１つだけのプロセッサ７２０が示されているが、複数のプロセッサが存在してもよい。したがって、命令は、プロセッサによって実行される際に論議されてもよく、命令は、同時に実行される、連続的に実行される、あるいは１つまたは複数のプロセッサによって実行されてもよい。
【０１１６】
いくつかの実施形態が本開示で提供されているが、開示されたシステムおよび方法が、本開示の精神または範囲から逸脱することなく、多くの他の特定の形態で具現化されてもよいことを理解されたい。本実施例は、限定的ではなく例示的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【０１１７】
また、個別または別個のものとして種々の実施形態において説明および例示される技法、システム、サブシステム、および方法を、本開示の範囲から逸脱することなく、他のシステム、モジュール、技法、または方法に組み入れるか、または一体化してもよい。連結もしくは直接連結または相互に通信するように図示または説明される他のアイテムは、電気的、機械的、またはその他の方法かどうかにかかわらず、何らかのインターフェース、装置、または中間構成要素を通して、間接的に連結または通信してもよい。変更、置換、および改変の他の例は、当業者により解明可能であり、本明細書で開示される精神および範囲から逸脱することなく行うことができる。
【０１１８】
本開示の多数の修正および変化例が、上記の教示を踏まえて可能である。したがって、添付の請求項の範囲内で、本開示は、本明細書で具体的に説明されるのとは他の方法で実践されてもよいことを理解されたい。
【図１】
2011515888.tif 000003
【図２】
2011515888.tif 000004
【図３】
2011515888.tif 000005
【図４Ａ】
2011515888.tif 000006
【図４Ｂ】
2011515888.tif 000007
【図５】
2011515888.tif 000008
【図６】
2011515888.tif 000009
【図７】
2011515888.tif 000010
【図８】
2011515888.tif 000011
【図９】
2011515888.tif 000012
【図１０】
2011515888.tif 000013
【図１１】
2011515888.tif 000014
【図１２】
2011515888.tif 000015
【図１３】
2011515888.tif 000016
【図１４】
2011515888.tif 000017
【図１５】
2011515888.tif 000018
【図１６】
2011515888.tif 000019
【図１７】
2011515888.tif 000020
【図１８】
2011515888.tif 000021
【図１９】
2011515888.tif 000022
【図２０】
2011515888.tif 000023
【図２１】
2011515888.tif 000024
【手続補正書】
【提出日】平成22年9月17日(2010.9.17)
【手続補正１】
【補正対象書類名】明細書
【補正対象項目名】００２２
【補正方法】変更
【補正の内容】
【００２２】
他の実施形態は、上記で要約される、または以下で詳述される方法のうちの１つ以上を実行する、または実行を協調させるための、自身の上に記憶されたコンピュータ実行可能命令を有する、１つ以上のコンピュータ可読媒体を提供する。
（項目１）
スロットを使用するダウンリンク時分割多重アクセス通信について、単一フローへの第１の混合型のスロットの組み合わせの割当を含有する、単一の割当メッセージを伝送することを含む、ネットワークアクセス機器における方法。
（項目２）
前記割当に基づいて通信することをさらに含む、項目１に記載の方法。
（項目３）
前記第１の混合型のスロットの組み合わせは、４つのフレームに割り当てられる少なくとも１つのスロットと、２つまたは４つのフレームに割り当てられる少なくとも一対のスロットとを含む、項目１に記載の方法。
（項目４）
前記第１の混合型のスロットの組み合わせは、第１の混合ＴＴＩ（伝送時間間隔）  ＴＢＦ（一時ブロックフロー）である、項目２に記載の方法。
（項目５）
前記割当に基づいて通信することは、
該割当を使用してコンテンツを伝送することを含み、該コンテンツは該コンテンツの受信者の識別子を含み、それにより、該識別子を含有する該割当を使用する、該受信者によるコンテンツの該受信が、該割当の割付を示す、項目１に記載の方法。
（項目６）
前記第１の混合ＴＴＩ  ＴＢＦを含む、複数の混合ＴＴＩ  ＴＢＦを定義することと、
該第１の混合ＴＴＩ  ＴＢＦを使用してＴＢＦ割当を行うことを含む、該複数の混合ＴＴＩ  ＴＢＦを使用してＴＢＦ割当を行うことと、
該第１の混合ＴＴＩ  ＴＢＦに基づいて通信することを含む、該複数の割り当てられた混合ＴＴＩ  ＴＢＦに基づいて通信することと
をさらに含む、項目５に記載の方法。
（項目７）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目４に記載の方法。
（項目８）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目４に記載の方法。
（項目９）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目４に記載の方法。
（項目１０）
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、項目６に記載の方法。
（項目１１）
混合ＴＴＩ  ＴＢＦについての信号伝達情報を運ぶために、ＲＴＴＩ  ＰＡＣＣＨ（パケット関連制御チャネル）を使用することをさらに含む、項目１に記載の方法。
（項目１２）
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目１に記載の方法。
（項目１３）
割当を行うことは、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することを含む、項目１に記載の方法。
（項目１４）
スロットを使用するダウンリンク時分割多重アクセス通信について、第１の混合型のスロットの組み合わせを単一フローに割り当てる、単一の割当メッセージの中の割当を受信することを含む、ユーザ機器（ＵＥ）における方法。
（項目１５）
前記割当に基づいて通信することをさらに含む、項目１４に記載の方法。
（項目１６）
前記第１の混合型のスロットの組み合わせは、４つのフレームに割り当てられる少なくとも１つのスロットと、２つまたは４つのフレームに割り当てられる少なくとも一対のスロットとを含む、項目１４に記載の方法。
（項目１７）
前記第１の混合型スロットの組み合わせは、第１の混合ＴＴＩ（伝送時間間隔）  ＴＢＦ（一時ブロックフロー）である、項目１６に記載の方法。
（項目１８）
前記割当を使用してダウンリンク通信を受信することと、
前記ＵＥ宛てのコンテンツがあるかどうかを決定し、もしあれば、該割当が該ＵＥに割り付けられたことを推測することと
をさらに含む、項目１４に記載の方法。
（項目１９）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目１７に記載の方法。
（項目２０）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目１７に記載の方法。
（項目２１）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目１７に記載の方法。
（項目２２）
混合ＴＴＩ  ＴＢＦについての信号伝達情報を運ぶために、ＲＴＴＩ  ＰＡＣＣＨ（パケット関連制御チャネル）を使用することをさらに含む、項目１７に記載の方法。
（項目２３）
前記単一のメッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目１４に記載の方法。
（項目２４）
前記割当を受信することは、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを受信することを含む、項目１４に記載の方法。
（項目２５）
受信モジュールと、決定モジュールと、伝送モジュールとを含み、
該受信モジュールは、ダウンリンク通信のための混合ＴＴＩ  ＴＢＦの割当を示す、メッセージを受信するように構成され、
該決定モジュールは、該メッセージを復号して該割当を決定するように構成され、
該受信モジュールは、該混合ＴＴＩ  ＴＢＦ割当に基づいて受信する、ユーザ機器。
（項目２６）
前記混合ＴＴＩ  ＴＢＦ割当は、４つのフレームに割り当てられる少なくとも１つのスロットと、２つまたは４つのフレームに割り当てられる少なくとも一対のスロットとを含む、混合型のスロットの組み合わせを割り当てる、項目２５に記載のユーザ機器。
（項目２７）
前記混合型スロットの組み合わせは、第１の混合ＴＴＩ（伝送時間間隔）  ＴＢＦ（一時ブロックフロー）である、項目２５に記載のユーザ機器。
（項目２８）
前記受信モジュールは、前記割当を使用してダウンリンク通信を受信し、前記ＵＥ宛てのコンテンツがあるかどうかを決定し、もしあれば、該割当が該ＵＥに割り付けられたことを推測するように構成される、項目２５に記載のユーザ機器。
（項目２９）
前記混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目２５に記載のユーザ機器。
（項目３０）
前記混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目２５に記載のユーザ機器。
（項目３１）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目２５に記載のユーザ機器。
（項目３２）
混合ＴＴＩ  ＴＢＦについての信号伝達情報を運ぶために、ＲＴＴＩ  ＰＡＣＣＨ（パケット関連制御チャネル）を使用するようにさらに構成される、項目２５に記載のユーザ機器。
（項目３３）
前記メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目２５に記載のユーザ機器。
（項目３４）
前記割当は、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを含む、項目２５に記載のユーザ機器。
（項目３５）
ユーザ機器上で実行されると、項目１４〜２４のうちのいずれか一項に記載の方法を実行するように該ユーザ機器に命令する、自身の上に記憶された命令を有する、コンピュータ可読媒体。
（項目３６）
受信モジュールと、選択モジュールと、伝送モジュールとを含み、
該選択モジュールは、ＵＥに対して混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
（項目３７）
混合ＴＴＩ  ＴＢＦ割当は、４つのフレームに割り当てられる少なくとも１つのスロットと、２つまたは４つのフレームに割り当てられる少なくとも一対のスロットとを含む、第１の混合型のスロットの組み合わせを割り当てる、項目３６に記載のネットワークアクセス機器。
（項目３８）
前記混合型スロットの組み合わせは、第１の混合ＴＴＩ（伝送時間間隔）  ＴＢＦ（一時ブロックフロー）である、項目３７に記載のネットワークアクセス機器。
（項目３９）
前記伝送モジュールは、
前記割当を使用してコンテンツを伝送することによって、割付を使用して伝送するように構成され、該コンテンツは該コンテンツの受信者の識別子を含み、それにより、該識別子を含有する該割当を使用する、該受信者によるコンテンツの該受信が、該割当の割付を示す、項目３７に記載のネットワークアクセス機器。
（項目４０）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目３７に記載のネットワークアクセス機器。
（項目４１）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目３７に記載のネットワークアクセス機器。
（項目４２）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目３７に記載のネットワークアクセス機器。
（項目４３）
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、項目３７に記載のネットワークアクセス機器。
（項目４４）
混合ＴＴＩ  ＴＢＦについての信号伝達情報を運ぶために、ＲＴＴＩ  ＰＡＣＣＨ（パケット関連制御チャネル）を使用するようにさらに構成される、項目３７に記載のネットワークアクセス機器。
（項目４５）
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目３７に記載のネットワークアクセス機器。
（項目４６）
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することによって、割当を行うように構成される、項目３７に記載のネットワークアクセス機器。
（項目４７）
ネットワークアクセス機器上で実行されると、項目１〜１３のうちのいずれか一項に記載の方法を実行するように該ネットワークアクセス機器に命令する、自身の上に記憶された命令を有する、コンピュータ可読媒体。
（項目４８）
スロットを使用する時分割多重アクセス通信について、単一フローへの第１の混合型のスロットの組み合わせの割当を含有する、単一の割当メッセージを伝送することを含む、ネットワークアクセス機器における方法。
（項目４９）
前記割当に基づいて通信することをさらに含む、項目４８に記載の方法。
（項目５０）
前記第１の混合型のスロットの組み合わせは、４つのフレームに割り当てられる少なくとも１つのスロットと、２つまたは４つのフレームに割り当てられる少なくとも一対のスロットとを含む、項目４８に記載の方法。
（項目５１）
前記第１の混合型スロットの組み合わせは、第１の混合ＴＴＩ（伝送時間間隔）  ＴＢＦ（一時ブロックフロー）である、項目４９に記載の方法。
（項目５２）
前記割り当てられた第１の混合ＴＴＩ  ＴＢＦを使用して、割付を行うことと、
前記割付に従って通信することと
をさらに含む、項目４８、５０、または５１に記載の方法。
（項目５３）
前記第１の混合ＴＴＩ  ＴＢＦを含む、複数の混合ＴＴＩ  ＴＢＦを定義することと、
該第１の混合ＴＴＩ  ＴＢＦを使用してＴＢＦ割当を行うことを含む、該複数の混合ＴＴＩ  ＴＢＦを使用してＴＢＦ割当を行うことと、
該第１の混合ＴＴＩ  ＴＢＦを使用して割付を行うことを含む、該複数の混合ＴＴＩ  ＴＢＦを使用して割付を行うことと、
該第１の混合ＴＴＩ  ＴＢＦを使用して通信することを含む、該複数の割り当てられた混合ＴＴＩ  ＴＢＦを使用して行われた該割付に従って、通信することと
をさらに含む、項目５２に記載の方法。
（項目５４）
前記第１の混合ＴＴＩ  ＴＢＦを含む、複数の混合ＴＴＩ  ＴＢＦを定義することは、８つのダウンリンクスロットと、該８つのダウンリンクスロットから時間がオフセットされる、８つの対応して番号付けされたアップリンクスロットとを含む、フレームについて行われ、かつ、アップリンクＴＢＦと、ダウンリンクＴＢＦとを含む、少なくとも１つのＴＢＦの組み合わせを定義することを含み、前記複数の組み合わせは、
第１のダウンリンクスロットの中にＢＴＴＩ（基本伝送時間間隔）ブロックがあり、第２および第３のダウンリンクスロットの中にＲＴＴＩブロックがあり、２つのアップリンクスロットの中にＲＴＴＩブロックがあるように、第１、第２、および第３のダウンリンクスロットを含む任意の３つの連続ダウンリンクスロットを採用し、かつ該第２および第３の連続ダウンリンクスロットと対応して番号付けされた２つのアップリンクスロットを採用する、３スロット混合ＴＴＩダウンリンクＴＢＦと、２スロットＲＴＴＩ（短縮伝送時間間隔）アップリンクＴＢＦとを備える、第１のＴＢＦの組み合わせと、
第１および第２のダウンリンクスロットの中にＲＴＴＩブロックがあり、第３のダウンリンクスロットの中にＢＴＴＩブロックがあり、第２および第４のダウンリンクスロットと対応して番号付けされたアップリンクスロットの中にＲＴＴＩブロックがあり、第３のダウンリンクスロットと対応して番号付けされたアップリンクスロットの中にＢＴＴＩブロックがあるように、第１、第２、第３、および第４のダウンリンクスロットを含む任意の４つの連続ダウンリンクスロットの中から、最初の３つの連続ダウンリンクスロットを採用し、かつ該第２、第３、および第４のダウンリンクスロットと対応して番号付けされた３つのアップリンクスロットを採用する、３スロット混合ＴＴＩダウンリンクＴＢＦと、３スロット混合ＴＴＩアップリンクＴＢＦとを含む、第２のＴＢＦの組み合わせと、
第１のダウンリンクスロットの中にＢＴＴＩブロックがあり、第２および第３のダウンリンクスロットの中にＲＴＴＩブロックがあり、第２および第３のダウンリンクスロットと対応して番号付けされたアップリンクスロットの中にＲＴＴＩブロックがあり、第４のダウンリンクスロットと対応して番号付けされたアップリンクスロットの中にＢＴＴＩブロックがあるように、第１、第２、第３、および第４のダウンリンクスロットを含む任意の４つの連続ダウンリンクスロットの中から、最初の３つの連続ダウンリンクスロットを採用し、かつ該第２、第３、および第４のダウンリンクスロットと対応して番号付けされた３つのアップリンクスロットを採用する、３スロット混合ＴＴＩダウンリンクＴＢＦと、３スロット混合ＴＴＩアップリンクＴＢＦとを含む、第３のＴＢＦの組み合わせと、
第１のダウンリンクスロットの中にＢＴＴＩブロックがあり、第２および第３のダウンリンクスロットの中にＲＴＴＩブロックがあり、第２および第３のダウンリンクスロットと対応して番号付けされたアップリンクスロットの中にＲＴＴＩブロックがあり、第４および第５のダウンリンクスロットと対応して番号付けされたアップリンクスロットの中にＲＴＴＩブロックがあるように、第１、第２、第３、第４、および第５のダウンリンクスロットを含む任意の５つの連続ダウンリンクスロットの中から、最初の３つの連続ダウンリンクスロットを採用し、かつ該第２、第３、第４、および第５のダウンリンクスロットと対応して番号付けされた４つのアップリンクスロットを採用する、３スロット混合ＴＴＩダウンリンクＴＢＦと、４スロットＲＴＴＩアップリンクＴＢＦとを含む、第４のＴＢＦの組み合わせと、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあり、第４および第５のダウンリンクスロットと対応して番号付けされたアップリンクスロットの中にＲＴＴＩブロックがあるように、第１、第２、第３、第４、および第５のダウンリンクスロットを含む任意の５つの連続ダウンリンクスロットを採用し、かつ該第４および第５のダウンリンクスロットと対応して番号付けされた２つのアップリンクスロットを採用する、５スロット混合ＴＴＩダウンリンクＴＢＦと、２スロットＲＴＴＩアップリンクＴＢＦとを含む、第５のＴＢＦの組み合わせと、
第１および第２のダウンリンクスロットの中にＲＴＴＩブロックがあり、第１および第２のダウンリンクスロットと対応して番号付けされたアップリンクスロットの中にＲＴＴＩブロックがあり、第３のダウンリンクスロットと対応して番号付けされたアップリンクスロットの中にＢＴＴＩブロックがあるように、第１、第２、および第３のダウンリンクスロットを含む任意の３つの連続ダウンリンクスロットの中から、最初の２つの連続ダウンリンクスロットを採用し、かつ該第１、第２、および第３のダウンリンクスロットと対応して番号付けされた３つのアップリンクスロットを採用する、２スロットＲＴＴＩダウンリンクＴＢＦと、３スロット混合ＴＴＩアップリンクＴＢＦとを含む、第６のＴＢＦの組み合わせと、
第１および第２のダウンリンクスロットの中にＲＴＴＩブロックがあり、第３および第４のダウンリンクスロットの中にＲＴＴＩブロックがあり、第３および第４のダウンリンクスロットと対応して番号付けされたアップリンクスロットの中にＲＴＴＩブロックがあり、第５のダウンリンクスロットと対応して番号付けされたアップリンクスロットの中にＢＴＴＩブロックがあるように、第１、第２、第３、第４、および第５のダウンリンクスロットを含む任意の５つの連続ダウンリンクスロットの中から、最初の４つの連続ダウンリンクスロットを採用し、かつ該第３、第４、および第５のダウンリンクスロットと対応して番号付けされた３つのアップリンクスロットを採用する、４スロットダウンリンクＲＴＴＩ  ＴＢＦと、３スロット混合ＴＴＩアップリンクＴＢＦとを含む、第７のＴＢＦの組み合わせと、
第１および第２のダウンリンクスロットの中にＲＴＴＩブロックがあり、第１および第２のダウンリンクスロットと対応して番号付けされたアップリンクスロットの中にＲＴＴＩブロックがあり、第３および第４のダウンリンクスロットと対応して番号付けされたアップリンクスロットの中にＲＴＴＩブロックがあり、第５のダウンリンクスロットと対応して番号付けされたアップリンクスロットの中にＢＴＴＩブロックがあるように、第１、第２、第３、第４、および第５のダウンリンクスロットを含む任意の５つの連続ダウンリンクスロットの中から、最初の２つの連続ダウンリンクスロットを採用し、かつ該第１、第２、第３、第４、および第５のダウンリンクスロットと対応して番号付けされた５つのアップリンクスロットを採用する、２スロットＲＴＴＩダウンリンクＴＢＦと、５スロット混合ＴＴＩ  ＴＢＦとを含む、第８のＴＢＦの組み合わせと
のうちの少なくとも１つを含む、項目５３に記載の方法。
（項目５５）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目５１に記載の方法。
（項目５６）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目５１に記載の方法。
（項目５７）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目５１に記載の方法。
（項目５８）
前記第１の混合ＴＴＩ  ＴＢＦは、
第１および第３のアップリンクスロットの中にＲＴＴＩブロックがあり、第２のアップリンクスロットの中にＢＴＴＩブロックがあるように、３つの連続アップリンクスロットを採用する、３スロット混合ＴＴＩアップリンクＴＢＦである、項目５１に記載の方法。
（項目５９）
前記混合ＴＴＩアップリンクＴＢＦの前記スロットを全て割り付けるように、修正された動的割付を使用してアップリンク割付を行うことをさらに含む、項目５８に記載の方法。
（項目６０）
前記混合ＴＴＩアップリンクＴＢＦの前記スロットを全て割り付けるように、修正された拡張動的割付を使用してアップリンク割付を行うことをさらに含む、項目５８に記載の方法。
（項目６１）
前記第１の混合ＴＴＩ  ＴＢＦは、
第１および第２のアップリンクスロットの中にＲＴＴＩブロックがあり、第３のアップリンクスロットの中にＢＴＴＩブロックがあるように、３つの連続アップリンクスロットを採用する、３スロット混合ＴＴＩアップリンクＴＢＦである、項目５１に記載の方法。
（項目６２）
修正された拡張動的割付を使用して、アップリンク割付を行うことをさらに含む、項目６１に記載の方法。
（項目６３）
前記第１の混合ＴＴＩ  ＴＢＦは、
第１および第２のアップリンクスロットの中にＲＴＴＩブロックがあり、第３および第４のアップリンクスロットの中にＲＴＴＩブロックがあり、第５のアップリンクスロットの中にＢＴＴＩブロックがあるように、５つの連続アップリンクスロットを採用する、５スロット混合ＴＴＩアップリンクＴＢＦである、項目５１に記載の方法。
（項目６４）
修正された拡張動的割付を使用して、アップリンク割付を行うことをさらに含む、項目６３に記載の方法。
（項目６５）
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、項目５３に記載の方法。
（項目６６）
混合ＴＴＩ  ＴＢＦについての信号伝達情報を運ぶために、ＲＴＴＩ  ＰＡＣＣＨ（パケット関連制御チャネル）を使用することをさらに含む、項目１から６５のいずれか一項に記載の方法。
（項目６７）
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送／受信することをさらに含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該ＲＬＣブロックが、スロットペアのスロットａおよびスロットｂ上のＲＴＴＩブロックとして伝送／受信される、項目１から６６のいずれか一項に記載の方法。
（項目６８）
動的割付と、
修正された動的割付と、
拡張された動的割付と、
修正された拡張動的割付と、
融通性タイムスロット割付と
のうちの少なくとも１つを行うことによって、割付を行うことをさらに含む、項目１から６７のいずれか一項に記載の方法。
（項目６９）
前記単一割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と、
アップリンク割当であれば、アップリンク割付機構の指示と
を含有する、項目１から６８のいずれか一項に記載の方法。
（項目７０）
割当を行うことは、
混合ＴＴＩ  ＴＢＦ割当情報を含有する、パケットダウンリンク割当メッセージと、
混合ＴＴＩ  ＴＢＦ割当情報を含有する、パケットアップリンク割当メッセージと、
混合ＴＴＩ  ＴＢＦ割当情報を含有する、パケットタイムスロット再構成メッセージと
のうちの少なくとも１つを送信することを含む、項目１から６９のいずれか一項に記載の方法。
（項目７１）
前記第１の混合ＴＴＩ  ＴＢＦを使用して割付を行うことを含む、前記複数の混合ＴＴＩ  ＴＢＦを使用して割付を行うことは、
全ての混合ＴＴＩ  ＴＢＦに修正ＢＴＴＩ  ＵＳＦアプローチを使用することを含む、項目１から７０のいずれか一項に記載の方法。
（項目７２）
混合ＴＴＩ  ＴＢＦについての信号伝達情報を運ぶために、ＲＴＴＩ  ＰＡＣＣＨ（パケット関連制御チャネル）を使用することを含む、方法。
（項目７３）
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送／受信することを含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該ＲＬＣブロックが、スロットペアのスロットａおよびスロットｂ上のＲＴＴＩブロックとして伝送／受信される、方法。
（項目７４）
最初の２つのＴＤＭＡフレーム（すなわち、次の基本無線ブロック期間のＴＤＭＡフレーム１および２）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを割り当てるように、割り当てられたアップリンクＲＴＴＩブロックと対応する一対のダウンリンクスロットの第１のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと、
次の２つのＴＤＭＡフレーム（すなわち、次の基本無線ブロック期間のＴＤＭＡフレーム３および４）の中の対応するアップリンクタイムスロットペアの両スロット上のＲＴＴＩブロックと、次の基本無線ブロック期間の４つのＴＤＭＡフレーム全て（すなわち、ＵＳＦを含有する４つのフレームの後の４つのフレーム）の上で、対応するダウンリンクスロットがＵＳＦを含有するＢＴＴＩモードで割り当てられる、各アップリンクスロット上のＢＴＴＩブロックとを割り当てるように、割り当てられたアップリンクＲＴＴＩブロックと対応する一対のダウンリンクスロットの第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと、
次の基本無線ブロック期間中の最初の２つのＴＤＭＡフレーム上の対応するアップリンクタイムスロットペアの両スロット上の第１のＲＴＴＩブロックと、次の基本無線ブロック期間中の次の２つのＴＤＭＡフレーム（フレーム３および４）上の対応するアップリンクタイムスロットペアの両スロット上の第２のＲＴＴＩブロックと、次の基本無線ブロック期間の４つのＴＤＭＡフレームの上で（すなわち、ＵＳＦを含有する４つのフレームの後の４つのフレーム内で）、対応するダウンリンクスロットがＵＳＦを含有するＢＴＴＩモードで割り当てられる、各アップリンクスロット上の１つのＢＴＴＩブロックとを割り当てるように、割り当てられたアップリンクＲＴＴＩブロックと対応する一対のダウンリンクスロットの第１および第２のスロット上のＵＳＦであって、４つのダウンリンクフレームにわたって送信されるＵＳＦと、対応する割り当てられたアップリンクＢＴＴＩブロックを有する１つ以上のダウンリンクスロット上のＵＳＦとを、伝送／受信することと
を含む、アップリンク割付を行う方法。
（項目７５）
ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の最初の２つのＴＤＭＡフレームの中にリソースを割り付けるよう、および、対応するアップリンクスロットペアのいずれのスロットよりも高いタイムスロット番号を伴うＢＴＴＩブロック伝送のために全ての割り当てられたアップリンクスロットの上にリソースを割り付けるように、割り当てられたアップリンクＲＴＴＩブロックと対応する一対のダウンリンクスロットのうちの第１のスロット上のＵＳＦであって、４つのダウンリンクフレームにわたって送信されるＵＳＦを、伝送／受信することと、
ＲＴＴＩブロック伝送のための対応するアップリンクスロットペアと、ＲＴＴＩブロック伝送のための対応するアップリンクスロットペアよりも高い番号が付けられたタイムスロットを伴う全ての割り当てられたアップリンクスロットペアとの上で、次の基本無線ブロック期間の第２の２つのＴＤＭＡフレームの中にリソースを割り付けるよう、および対応するアップリンクスロットペアのいずれのスロットよりも高いタイムスロット番号を伴うＢＴＴＩブロック伝送のために全ての割り当てられたアップリンクスロットの上にリソースを割り付けるように、割り当てられたアップリンクＲＴＴＩブロックと対応する一対のダウンリンクスロットの第２のスロット上のＵＳＦであって、４つのダウンリンクフレームにわたって送信されるＵＳＦを、伝送／受信することと
を含む、アップリンク割付を行う方法。
（項目７６）
受信モジュールと、選択モジュールと、伝送モジュールとを含み、
該選択モジュールは、ＵＥに対する混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
（項目７７）
スロットを使用する時分割多重アクセス通信について、第１の混合型のスロットの組み合わせを単一フローに割り当てる、単一の割当メッセージの中の割当を受信することを含む、ユーザ機器（ＵＥ）における方法。
（項目７８）
割当に基づいて通信することをさらに含む、項目７７に記載の方法。
（項目７９）
前記第１の混合型のスロットの組み合わせは、４つのフレームに割り当てられる少なくとも１つのスロットと、２つまたは４つのフレームに割り当てられる少なくとも一対のスロットとを含む、項目７７に記載の方法。
（項目８０）
前記第１の混合型スロットの組み合わせは、第１の混合ＴＴＩ（伝送時間間隔）  ＴＢＦ（一時ブロックフロー）である、項目７９に記載の方法。
（項目８１）
前記割り当てられた第１の混合ＴＴＩ  ＴＢＦを使用して、割付を受信することと、
前記割付に従って通信することと
をさらに含む、項目７７、７９、８０のうちのいずれか一項に記載の方法。
（項目８２）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目８１に記載の方法。
（項目８３）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目８１に記載の方法。
（項目８４）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目８１に記載の方法。
（項目８５）
前記第１の混合ＴＴＩ  ＴＢＦは、
第１および第３のアップリンクスロットの中にＲＴＴＩブロックがあり、第２のアップリンクスロットの中にＢＴＴＩブロックがあるように、３つの連続アップリンクスロットを採用する、３スロット混合ＴＴＩアップリンクＴＢＦである、項目８１に記載の方法。
（項目８６）
前記混合ＴＴＩアップリンクＴＢＦの前記スロットを全て割り付けるように、修正された動的割付を使用してアップリンク割付を受信することをさらに含む、項目８５に記載の方法。
（項目８７）
前記混合ＴＴＩアップリンクＴＢＦの前記スロットを全て割り付けるように、修正された拡張動的割付を使用してアップリンク割付を受信することをさらに含む、項目８５に記載の方法。
（項目８８）
前記第１の混合ＴＴＩ  ＴＢＦは、
第１および第２のアップリンクスロットの中にＲＴＴＩブロックがあり、第３のアップリンクスロットの中にＢＴＴＩブロックがあるように、３つの連続アップリンクスロットを採用する、３スロット混合ＴＴＩアップリンクＴＢＦである、項目８１に記載の方法。
（項目８９）
修正された拡張動的割付を使用して、アップリンク割付を受信することをさらに含む、項目８８に記載の方法。
（項目９０）
前記第１の混合ＴＴＩ  ＴＢＦは、
第１および第２のアップリンクスロットの中にＲＴＴＩブロックがあり、第３および第４のアップリンクスロットの中にＲＴＴＩブロックがあり、第５のアップリンクスロットの中にＢＴＴＩブロックがあるように、５つの連続ダウンリンクスロットを採用する、５スロット混合ＴＴＩアップリンクＴＢＦである、項目８１に記載の方法。
（項目９１）
修正された拡張動的割付を使用して、アップリンク割付を受信することをさらに含む、項目９０に記載の方法。
（項目９２）
混合ＴＴＩ  ＴＢＦについての信号伝達情報を運ぶために、ＲＴＴＩ  ＰＡＣＣＨ（パケット関連制御チャネル）を使用することをさらに含む、項目７７〜９１のうちの一項に記載の方法。
（項目９３）
ＲＴＴＩブロックを運ぶように割り当てられるスロットペアのスロットａおよびスロットｂと、ＢＴＴＩブロックを運ぶように割り当てられるスロットｃとを使用して、ｉ＜ｊである、ＢＳＮ  ｉ、ｊを伴う２つのＲＬＣブロックを伝送および／または受信することをさらに含み、
スロットａおよびスロットｂが、基本２０ミリ秒時間単位ブロックの最初の２つのＴＤＭＡフレーム（最初の１０ミリ秒）の中に割り付けられた場合は、ＢＳＮ  ｉを伴うＲＬＣブロックが、スロットペアのスロットａおよびスロットｂ上のＲＴＴＩブロックとして伝送／受信され、ＢＳＮ  ｊを伴うＲＬＣブロックが、スロット上のＢＴＴＩモードで伝送／受信され、
スロットａおよびスロットｂが、基本２０ミリ秒時間単位ブロックの最後の２つのＴＤＭＡフレーム（次の１０ミリ秒）の中に割り付けられた場合に、
スロットａおよびスロットｂの両方が＜スロットｃである場合は、ＢＳＮ  ｉを伴う該ＲＬＣブロックが、スロットペアのスロットａおよびスロットｂ上のＲＴＴＩブロックとして伝送／受信され、ＢＳＮ  ｊを伴うＲＬＣブロックが、スロットｃ上のＢＴＴＩモードで伝送／受信され、
さもなければ、ＢＳＮ  ｉを伴う該ＲＬＣブロックが、スロットｃ上のＢＴＴＩモードで伝送／受信され、ＢＳＮ  ｊを伴う該記ＲＬＣブロックが、スロットペアのスロットａおよびスロットｂ上のＲＴＴＩブロックとして伝送／受信される、項目７７〜９２のうちの一項に記載の方法。
（項目９４）
動的割付と、
修正された動的割付と、
拡張された動的割付と、
修正された拡張動的割付と、
融通性タイムスロット割付と
のうちの少なくとも１つを使用して、アップリンク割付を受信することをさらに含む、項目７７〜９３のうちの一項に記載の方法。
（項目９５）
前記単一のメッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と、
アップリンク割当であれば、アップリンク割付機構の指示と
を含有する、項目７７〜９４のうちの一項に記載の方法。
（項目９６）
前記割当を受信することは、
混合ＴＴＩ  ＴＢＦ割当情報を含有する、パケットダウンリンク割当メッセージと、
混合ＴＴＩ  ＴＢＦ割当情報を含有する、パケットアップリンク割当メッセージと、
混合ＴＴＩ  ＴＢＦ割当情報を含有する、パケットタイムスロット再構成メッセージと
のうちの少なくとも１つを受信することを含む、項目７７〜９５のうちの一項に記載の方法。
（項目９７）
受信モジュールと、決定モジュールと、伝送モジュールとを含み、
該受信モジュールは、混合ＴＴＩ  ＴＢＦの割当を示すメッセージを受信するように構成され、
該決定モジュールは、該メッセージを復号して該割当を決定するように構成され、
該受信モジュールおよび／または該伝送モジュールは、該混合ＴＴＩ  ＴＢＦ割当の割付に従って受信および／または伝送する、ユーザ機器。
（項目９８）
前記混合ＴＴＩ  ＴＢＦ割当は、４つのフレームに割り当てられる少なくとも１つのスロットと、２つまたは４つのフレームに割り当てられる少なくとも一対のスロットとを含む、混合型のスロットの組み合わせを割り当てる、項目９７に記載のユーザ機器。
（項目９９）
前記混合型スロット組み合わせは、第１の混合ＴＴＩ（伝送時間間隔）  ＴＢＦ（一時ブロックフロー）である、項目９７に記載のユーザ機器。
（項目１００）
前記受信モジュールは、前記割当を使用してダウンリンク通信を受信し、前記ＵＥ宛てのコンテンツがあるかどうかを決定し、もしあれば、該割当が該ＵＥに割り付けられたことを推測するように構成される、項目９７に記載のユーザ機器。
（項目１０１）
前記混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目９７に記載のユーザ機器。
（項目１０２）
前記混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目９７に記載のユーザ機器。
（項目１０３）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目９７に記載のユーザ機器。
（項目１０４）
混合ＴＴＩ  ＴＢＦについての信号伝達情報を運ぶために、ＲＴＴＩ  ＰＡＣＣＨ（パケット関連制御チャネル）を使用するようにさらに構成される、項目９７に記載のユーザ機器。
（項目１０５）
前記メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目９７に記載のユーザ機器。
（項目１０６）
前記割当は、
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを備える、項目９７に記載のユーザ機器。
（項目１０７）
ユーザ機器上で実行されると、項目７７〜９６のうちのいずれか一項に記載の方法を実行するように該ユーザ機器に命令する、自身の上に記憶された命令を有する、コンピュータ可読媒体。
（項目１０８）
受信モジュールと、選択モジュールと、伝送モジュールとを含み、
該選択モジュールは、ＵＥに対する混合ＴＴＩ  ＴＢＦ割当を割り当てるように、および、該ＵＥに該混合ＴＴＩ  ＴＢＦ割当を信号伝達するよう該伝送モジュールに命令するように、構成され、
該受信モジュールおよび伝送モジュールは、該混合ＴＴＩ  ＴＢＦ割当の割付を使用して、受信および／または伝送するように構成される、ネットワークアクセス機器。
（項目１０９）
前記混合ＴＴＩ  ＴＢＦ割当は、４つのフレームに割り当てられる少なくとも１つのスロットと、２つまたは４つのフレームに割り当てられる少なくとも一対のスロットとを含む、第１の混合型のスロットの組み合わせを割り当てる、項目１０８に記載のネットワークアクセス機器。
（項目１１０）
前記混合型スロットの組み合わせは、第１の混合ＴＴＩ（伝送時間間隔）  ＴＢＦ（一時ブロックフロー）である、項目１０９に記載のネットワークアクセス機器。
（項目１１１）
前記伝送モジュールは、
前記割当を使用してコンテンツを伝送することによって、割付を使用して伝送するように構成され、該コンテンツは該コンテンツの受信者の識別子を含み、それにより、該識別子を含有する該割当を使用する、該受信者によるコンテンツの該受信が、該割当の割付を示す、項目１０８に記載のネットワークアクセス機器。
（項目１１２）
前記第１の混合ＴＴＩ  ＴＢＦは、
第１のダウンリンクスロットの中にＢＴＴＩ（基本伝送時間間隔）ブロックがあり、第２および第３のダウンリンクスロットの中にＲＴＴＩブロックがあるように、第１、第２、および第３のダウンリンクスロットを含む３つの連続ダウンリンクスロットを採用する、３スロット混合ＴＴＩダウンリンクＴＢＦである、項目１０８に記載のネットワークアクセス機器。
（項目１１３）
前記第１の混合ＴＴＩ  ＴＢＦは、
第１および第２のダウンリンクスロットの中にＲＴＴＩブロックがあり、第３のダウンリンクスロットの中にＢＴＴＩブロックがあるように、３つの連続ダウンリンクスロットを採用する、３スロット混合ＴＴＩダウンリンクＴＢＦである、項目１０８に記載のネットワークアクセス機器。
（項目１１４）
前記第１の混合ＴＴＩ  ＴＢＦは、
第１のダウンリンクスロットの中にＢＴＴＩブロックがあり、第２および第３のダウンリンクスロットの中にＲＴＴＩブロックがあり、第４および第５のダウンリンクスロットの中にＲＴＴＩブロックがあるように、５つの連続ダウンリンクスロットを採用する、５スロット混合ＴＴＩダウンリンクＴＢＦである、項目１０８に記載のネットワークアクセス機器。
（項目１１５）
各混合ＴＴＩ  ＴＢＦは、２つのスロットが２つのフレームにわたって割り当てられる、少なくとも１つのＲＲＴＩブロックと、１つのスロットが４つのフレームにわたって割り当てられる、少なくとも１つのＢＴＴＩブロックとを有する、項目１０８に記載のネットワークアクセス機器。
（項目１１６）
混合ＴＴＩ  ＴＢＦについての信号伝達情報を運ぶために、ＲＴＴＩ  ＰＡＣＣＨ（パケット関連制御チャネル）を使用するようにさらに構成される、項目１０８に記載のネットワークアクセス機器。
（項目１１７）
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含有する、項目１０８に記載のネットワークアクセス機器。
（項目１１８）
混合ＴＴＩ  ＴＢＦ割当情報を含有する、パケットダウンリンク割当メッセージと、
混合ＴＴＩ  ＴＢＦ割当情報を含有する、パケットタイムスロット再構成メッセージと
のうちの少なくとも１つを送信することによって、割当を行うように構成される、項目１０８に記載のネットワークアクセス機器。
（項目１１９）
ネットワークアクセス機器上で実行されると、項目４８〜７５のうちのいずれか一項に記載の方法を実行するように該ネットワークアクセス機器に命令する、自身の上に記憶された命令を有する、コンピュータ可読媒体。
【手続補正２】
【補正対象書類名】特許請求の範囲
【補正対象項目名】全文
【補正方法】変更
【補正の内容】
【特許請求の範囲】
【請求項１】
単一の一時ブロックフロー（ＴＢＦ）を割当てる単一の割当メッセージを伝送することを含み、該ＴＢＦは、アップリンクまたはダウンリンクの時分割多重アクセス（ＴＤＭＡ）通信のためのスロットの第１の混合伝送時間間隔（ＴＴＩ）の組み合わせを含み、
該スロットの第１の混合ＴＴＩの組み合わせは、短縮伝送時間間隔（ＲＴＴＩ）ブロックのための少なくとも一対のスロットおよび基本伝送時間間隔（ＢＴＴＩ）ブロックのためのスロットを含む、ネットワークアクセス機器における方法。
【請求項２】
前記単一の割当メッセージに基づいて通信することをさらに含む、請求項１に記載の方法。
【請求項３】
前記割当メッセージに基づいて通信することは、前記ＲＴＴＩブロックのための少なくとも一対のスロットおよび前記ＢＴＴＩブロックのためのスロット上でデータブロックを伝送することを含む、請求項２に記載の方法。
【請求項４】
前記割当メッセージに基づいて通信することは、前記ＲＴＴＩブロックのための少なくとも一対のスロットおよび前記ＢＴＴＩブロックのためのスロット上でデータブロックを受信することを含む、請求項２に記載の方法。
【請求項５】
ＲＴＴＩブロックは、第１のＴＤＭＡフレーム内のスロットの第１の対と第２のＴＤＭＡフレーム内のスロットの第２の対とからなり、ＢＴＴＩブロックは、該第１のＴＤＭＡフレーム内のスロットと、該第２のＴＤＭＡフレーム内のスロットと、第３のＴＤＭＡフレーム内のスロットと、第４のＴＤＭＡフレーム内のスロットとからなる、請求項１から４のいずれか一項に記載の方法。
【請求項６】
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含む、請求項１から５のいずれか一項に記載の方法。
【請求項７】
前記単一の割当メッセージは、パケットアップリンク割当メッセージ、パケットダウンリンク割当メッセージ、またはパケットタイムスロット再構成メッセージを含む、請求項１から６のいずれか一項に記載の方法。
【請求項８】
単一の一時ブロックフロー（ＴＢＦ）を割当てる単一の割当メッセージを受信することを含み、該ＴＢＦは、アップリンクまたはダウンリンクの時分割多重アクセス（ＴＤＭＡ）通信のためのスロットの第１の混合伝送時間間隔（ＴＴＩ）の組み合わせを含み、
該スロットの第１の混合ＴＴＩの組み合わせは、短縮伝送時間間隔（ＲＴＴＩ）ブロックのための少なくとも一対のスロットおよび基本伝送時間間隔（ＢＴＴＩ）ブロックのためのスロットを含む、ユーザ機器（ＵＥ）における方法。
【請求項９】
前記単一の割当メッセージに基づいて通信することをさらに含む、請求項８に記載の方法。
【請求項１０】
前記割当メッセージに基づいて通信することは、前記ＲＴＴＩブロックのための少なくとも一対のスロットおよび前記ＢＴＴＩブロックのためのスロット上でデータブロックを受信することを含む、請求項９に記載の方法。
【請求項１１】
前記割当メッセージに基づいて通信することは、前記ＲＴＴＩブロックのための少なくとも一対のスロットおよび前記ＢＴＴＩブロックのためのスロット上でデータブロックを伝送することを含む、請求項９に記載の方法。
【請求項１２】
ＲＴＴＩブロックは、第１のＴＤＭＡフレーム内のスロットの第１の対と第２のＴＤＭＡフレーム内のスロットの第１の対とからなり、ＢＴＴＩブロックは、該第１のＴＤＭＡフレーム内のスロットと、該第２のＴＤＭＡフレーム内のスロットと、第３のＴＤＭＡフレーム内のスロットと、第４のＴＤＭＡフレーム内のスロットとからなる、請求項８から１１のいずれか一項に記載の方法。
【請求項１３】
前記単一の割当メッセージは、少なくとも、
前記割当が混合ＴＴＩ  ＴＢＦ割当であるという指示と、
ＢＴＴＩブロックを運ぶスロットの指示と、
ＲＴＴＩブロックを運ぶスロットの指示と
を含む、請求項８から１２のいずれか一項に記載の方法。
【請求項１４】
前記単一の割当メッセージは、パケットアップリンク割当メッセージ、パケットダウンリンク割当メッセージ、またはパケットタイムスロット再構成メッセージを含む、請求項８から１３のいずれか一項に記載の方法。
【請求項１５】
請求項８から１４のいずれか一項に記載の方法のステップを実行するように構成されたユーザ機器。
【請求項１６】
ユーザ機器上で実行されると、請求項８から１４のいずれか一項に記載の方法のステップを実行するように該ユーザ機器に命令する、自身の上に格納された命令を有する、コンピュータ可読媒体。
【請求項１７】
請求項１から７のいずれか一項に記載の方法のステップを実行するように構成されたネットワークアクセス機器。
【請求項１８】
ネットワークアクセス機器上で実行されると、請求項１から７のいずれか一項に記載の方法のステップを実行するように該ネットワークアクセス機器に命令する、自身の上に格納された命令を有する、コンピュータ可読媒体。
【国際調査報告】
2011515888.tif 000025
2011515888.tif 000026
2011515888.tif 000027